(57)【要約】【課題】遊技領域を形成する遊技盤を前面枠に対して着脱可能に配設し、該遊技盤前面の所要領域において遊技に関わるゲームを表示するようにした遊技機において、押圧力による表示ユニットの変形や故障を防止する。【解決手段】表示ユニット１７０の裏面に付勢部材（圧縮コイルばね１８２）からの押圧力を表示ユニット１７０裏面に分散させる押圧力分散部材２２０を備える。さらに、押圧力分散部材２２０の前面側の一辺側と他辺側が表示ユニット１７０裏面の一辺部と他辺部とに当接し、押圧力分散部材２２０の裏面側略中央部が付勢部材の他端部に当接するようにする。【選択図】図１０
2008093265.tif 000002
【特許請求の範囲】
【請求項１】
遊技領域を形成する遊技盤を前面枠に対して着脱可能に配設し、該遊技盤前面の所要領域において遊技に関わるゲームを表示するようにした遊技機において、
前記ゲームを実行する表示ユニットを前記遊技盤の後方に位置させて支持する裏機構枠を前記前面枠裏面側に備え、
前記裏機構枠は、
前記表示ユニットを前後方向にスライド可能に支持するとともに、前方を開口して前記表示ユニットをスライド可能なスライド空間を有し、且つ、前記表示ユニットを前方に付勢する付勢部材を前方に延出させて該付勢部材の一端部を取り付け、
前記表示ユニットの裏面には、前記付勢部材の他端部が当接し、該付勢部材からの押圧力を前記表示ユニット裏面に分散させる押圧力分散部材を備え、
前記押圧力分散部材は、矩形状の前記表示ユニット裏面の少なくとも向かい合う一組の一辺部と他辺部とに亘って設けられ、当該押圧力分散部材の前面側の一辺側と他辺側が前記表示ユニット裏面の一辺部と他辺部とに当接し、当該押圧力分散部材の裏面側略中央部が前記付勢部材の他端部に当接することを特徴とする遊技機。
【請求項２】
前記表示ユニット裏面には、前記押圧力分散部材の外形に沿って、後方に延出するリブが設けられ、前記リブが前記押圧力分散部材に当接するようにしたことを特徴とする請求項１に記載の遊技機。
【請求項３】
前記押圧力分散部材は、金属製の板状部材からなり、外周部分に前方に折り曲げられた折り曲げ部が形成され、
当該押圧力分散部材の中央部分の折り曲げ部は、中央部分以外の折り曲げ部より前方に延出して形成されており、前記中央部分の折り曲げ部が前記表示ユニット裏面に当接するようにしたことを特徴とする請求項１又は請求項２に記載の遊技機。
【請求項４】
前記押圧力分散部材を前記表示ユニットに取り付けるための係止部材が、前記表示ユニットの裏面から後方に延出して設けられ、
前記係止部材は、前記押圧力分散部材の前方への撓みを妨げないように前記押圧力分散部材を係止していることを特徴とする請求項１から請求項３の何れか一項に記載の遊技機。
【請求項５】
前記押圧力分散部材は、前記表示ユニット裏面の一辺部と他辺部とに当接する一辺側と他辺側よりも中央部分が前記一辺部延設方向にくびれていることを特徴とする請求項１から請求項４の何れか一項に記載の遊技機。
【請求項６】
前記表示ユニット裏面には、前記付勢部材をガイドするガイド部が後方に延出し、
前記押圧力分散部材には、前記ガイド部を挿通する開口部が形成され、該開口部の近傍を前記付勢部材が押圧するようにしたことを特徴とする請求項１から請求項５の何れか一項に記載の遊技機。
【請求項７】
前記遊技盤の裏面には、後方に延出し前記表示ユニットの前面に当接する当接部材を設け、
前記付勢部材が前記表示ユニットを前方に付勢することにより、該表示ユニットが位置規制されることを特徴とする請求項１から請求項６の何れか一項に記載の遊技機。
【発明の詳細な説明】
【技術分野】
【０００１】
本発明は、遊技領域を形成する遊技盤を前面枠に対して着脱可能に配設し、該遊技盤前面の所要領域において遊技に関わるゲームを表示するようにした遊技機に関する。
【背景技術】
【０００２】
従来、液晶表示パネルを収納する表示ユニットを前後方向へ移動可能に設け、取り付けた遊技盤に合わせて表示ユニットの位置が決められる遊技機があり、表示ユニットの四隅に引張コイルばねを連結して表示ユニットを前方に付勢していた（例えば、特許文献１参照）。
【特許文献１】特開２００６−１８７４５９号公報
【発明の開示】
【発明が解決しようとする課題】
【０００３】
しかし、従来のように引張コイルばねにより表示ユニットを前方に付勢した場合には、表示ユニットの四隅に引張コイルばねを設けなければならず組み付け作業性が悪い。
また、表示ユニット裏面の略中央部分をコイルばねで押圧することも考えられるが、表示ユニットを安定して設置するためには、ある程度強い力のコイルばねで押圧しなければならず、その場合には、表示ユニットの裏面がコイルばねの押圧力で変形し、収納された液晶表示パネルが故障したり、映りが悪くなったりする問題がある。
【０００４】
本発明の目的は、遊技領域を形成する遊技盤を前面枠に対して着脱可能に配設し、該遊技盤前面の所要領域において遊技に関わるゲームを表示するようにした遊技機において、押圧力による表示ユニットの変形や故障を防止することである。
【課題を解決するための手段】
【０００５】
以上の課題を解決するため、請求項１に記載の発明は、遊技領域を形成する遊技盤を前面枠に対して着脱可能に配設し、該遊技盤前面の所要領域において遊技に関わるゲームを表示するようにした遊技機において、
前記ゲームを実行する表示ユニットを前記遊技盤の後方に位置させて支持する裏機構枠を前記前面枠裏面側に備え、
前記裏機構枠は、
前記表示ユニットを前後方向にスライド可能に支持するとともに、前方を開口して前記表示ユニットをスライド可能なスライド空間を有し、且つ、前記表示ユニットを前方に付勢する付勢部材を前方に延出させて該付勢部材の一端部を取り付け、
前記表示ユニットの裏面には、前記付勢部材の他端部が当接し、該付勢部材からの押圧力を前記表示ユニット裏面に分散させる押圧力分散部材を備え、
前記押圧力分散部材は、矩形状の前記表示ユニット裏面の少なくとも向かい合う一組の一辺部と他辺部とに亘って設けられ、当該押圧力分散部材の前面側の一辺側と他辺側が前記表示ユニット裏面の一辺部と他辺部とに当接し、当該押圧力分散部材の裏面側略中央部が前記付勢部材の他端部に当接することを特徴とする。
【０００６】
請求項１に記載の発明によれば、表示ユニットの裏面には付勢部材からの押圧力を表示ユニット裏面に分散させる押圧力分散部材を備え、押圧力分散部材の前面側の一辺側と他辺側が表示ユニット裏面の一辺部と他辺部とに当接し、押圧力分散部材の裏面側略中央部が付勢部材の他端部に当接するので、押圧力が表示ユニットの外周部分にかかるようになる。これにより、表示ユニットの中央部分が撓んで、表示ユニットに備えられた表示装置（液晶表示器など）に不具合が発生（画像の歪みや破損など）することを防止できる。
【０００７】
請求項２に記載の発明は、請求項１に記載の遊技機であって、前記表示ユニット裏面には、前記押圧力分散部材の外形に沿って、後方に延出するリブが設けられ、前記リブが前記押圧力分散部材に当接するようにしたことを特徴とする。
【０００８】
請求項２に記載の発明によれば、表示ユニット裏面には、押圧力分散部材の外形に沿って、後方に延出するリブが設けられ、リブが押圧力分散部材に当接するので、押圧力がより広い面積に分散されるようになり、表示ユニットが撓みにくい。
【０００９】
請求項３に記載の発明は、請求項１又は請求項２に記載の遊技機であって、前記押圧力分散部材は、金属製の板状部材からなり、外形から前方に折り曲げられた折り曲げ部が形成され、
当該押圧力分散部材の中央部分の折り曲げ部は、中央部分以外の折り曲げ部より前方に延出して形成されており、前記中央部分の折り曲げ部が前記表示ユニット裏面に当接するようにしたことを特徴とする。
【００１０】
請求項３に記載の発明によれば、押圧力分散部材は、金属製の板状部材からなり、外形から前方に折り曲げられた折り曲げ部が形成されているので、押圧力に対する強度が高い。また、押圧力分散部材の中央部分の折り曲げ部は、中央部分以外の折り曲げ部より前方に延出して形成されており、中央部分の折り曲げ部が表示ユニット裏面に当接するので、一辺側から他辺側に延びる中央部分の折り曲げ部の広い部分で表示ユニットの裏面を押すこととなり、押圧力がより広い面積に分散されるようになり、表示ユニットが撓みにくい。また、中央部分の折り曲げ部が他の部分より前方に延出しているので、付勢部材が当接する中央部分箇所が大きく撓むことを防止できる。
【００１１】
請求項４に記載の発明は、請求項１から請求項３の何れか一項に記載の遊技機であって、前記押圧力分散部材を前記表示ユニットに取り付けるための係止部材が、前記表示ユニットの裏面から後方に延出して設けられ、
前記係止部材は、前記押圧力分散部材の前方への撓みを妨げないように前記押圧力分散部材を係止していることを特徴とする。
【００１２】
請求項４に記載の発明によれば、押圧力分散部材を表示ユニットに取り付けるための係止部材が、表示ユニットの裏面から後方に延出して設けられ、係止部材は押圧力分散部材の前方への撓みを妨げないように押圧力分散部材を係止しているので、係止部材に押圧力がかかることを防止できる。
【００１３】
請求項５に記載の発明は、請求項１から請求項４の何れか一項に記載の遊技機であって、前記押圧力分散部材は、前記表示ユニット裏面の一辺部と他辺部とに当接する一辺側と他辺側よりも中央部分が前記一辺部延設方向にくびれていることを特徴とする。
【００１４】
請求項５に記載の発明によれば、押圧力分散部材は、表示ユニット裏面の一辺部と他辺部とに当接する一辺側と他辺側よりも中央部分が一辺部延設方向にくびれているので、効率よく押圧力を分散できる。すなわち、表示ユニットと当接する部分は広い接触面積を確保して、押圧力が集中しないようにでき、その他の部分は極力狭い占有面積とし、表示ユニット裏面のスペースを有効に利用できるようになる。
【００１５】
請求項６に記載の発明は、請求項１から請求項５の何れか一項に記載の遊技機であって、前記表示ユニット裏面には、前記付勢部材をガイドするガイド部が後方に延出し、
前記押圧力分散部材には、前記ガイド部を挿通する開口部が形成され、該開口部の近傍を前記付勢部材が押圧するようにしたことを特徴とする。
【００１６】
請求項６に記載の発明によれば、表示ユニット裏面には、付勢部材をガイドするガイド部が後方に延出し、押圧力分散部材には、ガイド部を挿通する開口部が形成され、該開口部の近傍を付勢部材が押圧するようにしたので、押圧力分散部材と付勢部材を固定しなくても確実に押圧することができる。
【００１７】
請求項７に記載の発明は、請求項１から請求項６の何れか一項に記載の遊技機であって、前記遊技盤の裏面には、後方に延出し前記表示ユニットの前面に当接する当接部材を設け、
前記付勢部材が前記表示ユニットを前方に付勢することにより、該表示ユニットが位置規制されることを特徴とする。
【００１８】
請求項７に記載の発明によれば、遊技盤の裏面には、後方に延出し表示ユニットの前面に当接する当接部材を設け、付勢部材が表示ユニットを前方に付勢することにより、該表示ユニットが位置規制されるので、表示ユニットが遊技盤後方の所定位置に配されるようになる。
このように、遊技盤に対して表示ユニットが所定の間隔をおいて遊技機の奥側に配されるので、表示ユニットと遊技者との距離を確保でき、奥行き感を出すことができるとともに、大型の表示ユニットを用いた場合でも、遊技者にとって見やすい構成とすることができる。また、遊技盤側から入り込む外光によって画像表示面における表示が見にくくなることを防止できる。
【発明の効果】
【００１９】
本発明によれば、表示ユニットの裏面には付勢部材からの押圧力を表示ユニット裏面に分散させる押圧力分散部材を備え、押圧力分散部材の前面側の一辺側と他辺側が表示ユニット裏面の一辺部と他辺部とに当接し、押圧力分散部材の裏面側略中央部が付勢部材の他端部に当接するので、押圧力が表示ユニットの外周部分にかかるようになる。これにより、表示ユニットの中央部分が撓んで、表示ユニットに備えられた表示装置（液晶表示器など）に不具合が発生（画像の歪みや破損など）することを防止できる。
【発明を実施するための最良の形態】
【００２０】
以下、この発明の実施形態について図面を参照して説明する。
ここでは、本発明にかかる遊技機の適例としてのパチンコ遊技機について図１から図１５を用いて説明を行う。
【００２１】
図１から３に示すように、本実施形態の遊技機１００は、矩形枠状に構成された機枠１１０を備え、機枠１１０の前面側には、該機枠１１０に対して前方向へ扉状に回動可能に矩形枠状の前面枠１２０が軸着されている。なお、矩形枠状の機枠１１０は、裏面側から見て左側（前面枠開放端側）の一辺が金属製とされ、その他の辺は木製となっている。これによって、裏面側から見て左側の一辺においては、強度を保ったまま厚みを薄くでき、後述するように大型の表示ユニット１７０を備える裏機構枠１６０の配設を可能としている。
【００２２】
前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０と、前面枠本体１３０の前面のクリア部材保持枠１４０の下側に取り付けられた発射操作ユニット１５０と、前面枠本体１３０の裏面側に回動可能に軸支され、表示ユニット１７０を備える裏機構枠１６０とを有する。
【００２３】
前面枠本体１３０は、矩形枠状の機枠１１０の前面側をちょうど覆うような概略矩形板状に構成されるとともに、その中央から上端部に渡る部分に後述する遊技盤１を嵌め込んで収容するための方形状の開口部１３１が形成されている。そして、前面枠本体１３０に収容された遊技盤１の前面が前面枠本体１３０の開口部１３１から前側に臨むようになっている。すなわち遊技盤１は、前面枠本体１３０に嵌め込まれることで前面枠１２０に取り付けられている。
【００２４】
また、前面枠本体１３０の遊技盤１が嵌め込まれた開口部１３１、すなわち、前面枠本体１３０の中央より少し下側から上端部にわたる部分には、前面枠本体１３０の前側を覆うクリア部材保持枠１４０が配置されており、遊技盤１の前面とクリア部材保持枠１４０に嵌め込まれたクリア部材としてのガラス板１４１との間で、遊技盤１の前面に設けられた遊技領域区画壁９に囲まれた部分が、遊技球が発射されて流下する第１遊技領域１ａとされている。
【００２５】
また、クリア部材保持枠１４０の一方の側部（遊技機１００の前面側から見て左側の側部）は、前面枠本体１３０の一方の側部に回動可能に軸支されて、扉状に開閉自在とされ、クリア部材保持枠１４０を開くことにより、遊技盤１の前面側の第１遊技領域１ａの前側を開放可能となっている。クリア部材保持枠１４０には、前面枠本体１３０の開口部１３１をほぼ閉塞するように、該開口部１３１に嵌め込まれた遊技盤１との間に遊技球が流下可能な第１遊技領域１ａとなる間隔を開けて二重のガラス板１４１が固定されている。そして、クリア部材保持枠１４０において、遊技機１００の前側からガラス板１４１を介して遊技盤１の前面側の少なくとも第１遊技領域１ａの部分が視認可能となっている。また、クリア部材保持枠１４０の前面であって、ガラス板１４１が固定されて第１遊技領域１ａを視認可能とする部分の周囲には、枠装飾装置としてのランプやＬＥＤ、音声を出力するスピーカなどが設けられている。
【００２６】
また、前面枠本体１３０に軸着されたクリア部材保持枠１４０の開放端側となる前面側から見て右側の端部の前面には、施錠装置の一部をなす鍵穴１４３が形成されている。この鍵穴１４３は、前面枠本体１３０の施錠装置の一部であるとともに、クリア部材保持枠１４０の施錠装置の一部でもあって、鍵穴１４３に鍵を入れて一方（例えば左回り）に回すと前面枠本体１３０の施錠が解除され、他方（例えば右回り）に回すとクリア部材保持枠１４０の施錠が解除されるようになっている。
【００２７】
また、前面枠本体１３０の前面側のクリア部材保持枠１４０の下側には、発射操作ユニット１５０が取り付けられている。発射操作ユニット１５０は、左右側部のうちの一側部となる左側部を前面枠本体１３０に軸着されて、左右方向に回動して開閉自在な開閉パネル１５１とその下の下部パネル１５２とからなる。開閉パネル１５１は、排出された遊技球を貯留するとともに、遊技球を発射する発射装置（図示略）に遊技球を送る上皿１５３を有している。この上皿１５３の周囲には、遊技者が操作可能な演出用ボタン１５５が設けられている。また、開閉パネル１５１の下側の下部パネル１５２には、上皿１５３に収容しきれない遊技球を収容する下皿１５４及び灰皿と、第１遊技領域１ａに向けての遊技球の発射操作を行うとともに、該第１遊技領域１ａに遊技球を発射する際の発射勢を調節するための操作ハンドル１５６、音声を出力するスピーカ５８などが設けられている。
【００２８】
また、図３に示すように、前面枠本体１３０の裏面側であって、遊技盤１が嵌め込まれた開口部１３１の上端部から中央より少し下側にわたる部分には、前面枠本体１３０の裏面側を覆うように裏機構枠１６０が配置されている。裏機構枠１６０の前面の左端部は、前面枠本体１３０の裏面であって遊技機１００の裏面側から見て右側の側部に回動可能に軸支されて扉状に開閉自在とされ、裏機構枠１６０を開くことにより、遊技盤１の裏面側の上部を開放可能となっている。なお、裏機構枠１６０と前面枠本体１３０の連結部分は着脱自在であって、前面枠本体１３０、裏機構枠１６０はそれぞれユニット単位で交換やメンテナンスが可能となっている。
【００２９】
また、前面枠本体１３０の裏面側であって遊技盤１が嵌め込まれた開口部１３１の下方には、排出装置１９０による賞球の排出、発射装置による遊技球の発射を制御する排出発射制御装置３４、遊技機１００内の各装置に電力を供給する電源回路としての電源供給装置３７が取り付けられている。
その他、前面枠本体１３０には、各部材の取付位置に各部材を取り付けるための構造が設けられており、例えば、取り付けられた部材を囲むように補強用のリブが形成されていたり、ビス等による部材の取り付けのためのボス等が形成されている。
【００３０】
図１，４，５，８に示すように、前面枠本体１３０の開口部１３１に嵌め込まれる遊技盤１は、遊技盤本体１ｂと、遊技盤本体１ｂの裏面側に配される遊技盤裏面構成部材８０とを備える。遊技盤本体１ｂは透明な合成樹脂（例えば、ポリカーボネートやアクリル）からなり、前面には、遊技領域区画壁９で囲まれた第１遊技領域１ａを有し、この第１遊技領域１ａ内に発射装置（図示略）から遊技球（打球；遊技媒体）を発射して遊技を行うようになっている。
【００３１】
遊技盤本体１ｂの前面側には、第１遊技領域１ａを区画する遊技領域区画壁９を備える遊技領域区画部材８，８，…が取り付けられている。この遊技領域区画部材８，８，…は所定の厚みを有し、遊技盤本体１ｂの前面の四隅に配されて第１遊技領域１ａを区画するものであって、遊技盤１の中心側に配される側面が第１遊技領域１ａを区画する遊技領域区画壁９をなしている。また、遊技領域区画部材８，８，…は不透明な材質からなり、第１遊技領域１ａ以外から遊技機１００の内部が見えないようになっている。
【００３２】
さらに、遊技盤本体１ｂの四隅に配された遊技領域区画部材８，８，…には、遊技盤１を前面枠本体１３０に形成された開口部に対して着脱可能とする係合凹部８ｂ、固定凹部８ｃが形成されている。前面側から見て左側の上下にある遊技領域区画部材８，８には、前面枠本体１３０に設けられた係合部材１３２，１３２が係合可能な係合凹部８ｂが形成され、遊技盤１の前面側から見て右側の上下にある遊技領域区画部材８，８には、前面枠本体１３０に設けられた固定部が係合可能な固定凹部８ｃが形成されている。そして、前面枠本体１３０に形成された開口部に対して、前面側から係合凹部８ｂ，８ｂを係合部材１３２，１３２に係合させ、この係合部分を軸として他端部を後方に回動させて開口部に収容し、固定凹部８ｃ，８ｃに固定部１３３，１３３を係合させることで遊技盤１が前面枠本体１３０に固定されるようになっている。
【００３３】
遊技盤１を構成する遊技盤本体１ｂの前面側に形成された第１遊技領域１ａ内には、遊技盤１の装飾や遊技球を流下案内する遊技装置として、普図始動ゲート６、始動入賞口１０および普通変動入賞装置３、特別変動入賞装置４が設けられている。さらに遊技装置として、一般入賞口形成部材１４，１４に設けられた一般入賞口２，２、風車と呼ばれる打球方向変換部材１１，１１、多数の障害釘（図示略）、流下方向規制装置７、入賞口などに入賞しなかった遊技球を回収するアウト口５、ランプ・ＬＥＤなどの遊技盤装飾装置などが設けられている。また、遊技盤本体１ｂの裏面側には、遊技球が流下可能な後述する第２遊技領域２０が設けられ、第１遊技領域１ａには遊技装置として、この第２遊技領域２０への導入口をなすワープ入口１２，１２、第２遊技領域２０からの導出口１３が設けられている。
【００３４】
普図始動ゲート６は遊技球が上下に通過可能なゲートであり、その内部には遊技球の通過を検出するゲートセンサ６ａ（図４，５に図示）が設けられている。そして、該ゲートセンサ６ａで遊技球が検出されることに基づき普図変動表示ゲームの始動条件が成立するようになっている。また、普図変動表示ゲームは、遊技盤１の前面側に設けられた図示しない普図変動表示器にて表示されるようになっている。さらに、遊技盤１の前面側には、未処理となっている第１普図変動表示ゲームの回数をＬＥＤの点滅で表示する図示しない普図始動記憶表示器が設けられている。
【００３５】
始動入賞口１０および普通変動入賞装置３は第１遊技領域１ａの下部にあって、その内部には遊技球の流入を検出する始動口センサが設けられている。この始動入賞口１０および普通変動入賞装置３は、特図始動入賞口であって、始動口センサで遊技球が検出されることに基づき特図変動表示ゲームの始動条件が成立するようになっている。この特図変動表示ゲームは、遊技盤１の前面側に設けられた図示しない特図変動表示器にて表示されるようになっている。また、遊技盤１の前面側には、未処理となっている特図変動表示ゲームの回数をＬＥＤの点滅で表示する図示しない特図始動記憶表示器が設けられている。
【００３６】
普通変動入賞装置３は左右一対の開閉部材３ａ，３ａを具備し、始動入賞口１０の下部に配設され、この開閉部材３ａ，３ａは、常時は遊技球が流入不能な閉じた状態（遊技者にとって不利な状態）を保持しているが、普図変動表示ゲームの結果が所定の停止表示態様（例えば、「７」）となった場合には、普図の当たりとなって、普通変動入賞装置３の開閉部材３ａ，３ａが所定時間（例えば、０.５秒間）逆「ハ」の字状に開いて普通変動入賞装置３に遊技球が流入し易い状態（遊技者にとって有利な状態）に変化されるようになっている。これにより、特図変動表示ゲームの始動が容易となる。
【００３７】
また、特図変動表示ゲームは、第１遊技領域１ａ内に設けられた特図変動表示器で実行されるが、ここで実行される特図変動表示ゲームに対応する表示ゲームが後述する表示ユニット１７０の画像表示面１７１に表示されるようになっている。この特図変動表示ゲームに対応した表示ゲームの表示領域は、遊技盤本体１ｂの裏面側に配された表示領域区画壁６４，９２、上部役物装置２５によって区画された領域であって、透明な材質からなる遊技盤本体１ｂを通して、その裏面側に配された表示ユニット１７０の画像表示面１７１を視認可能な領域となっている。なお、遊技機１００に特図変動表示器を備えずに、表示ユニット１７０のみで特図変動表示ゲームを実行するようにしても良い。そして、特図変動表示ゲームの結果として、特図変動表示器の表示態様が特別結果態様（たとえば「７」）となった場合には、大当たりとなって特別遊技状態（いわゆる、大当たり状態）となる。また、これに対応して画像表示面１７１における表示ゲームの表示態様も特別結果態様（例えば、「７，７，７」等のゾロ目数字の何れか）となる。
【００３８】
特別変動入賞装置４は、上端側が手前側に倒れる方向に回動して開放可能になっているアタッカ形式の開閉扉４ａによって開閉される大入賞口を備えていて、特別遊技状態中は、大入賞口を閉じた状態から開いた状態に変換することにより大入賞口内への遊技球の流入を容易にさせる。なお、開閉扉４ａは、ソレノイド（大入賞口ＳＯＬ）により駆動される。また、大入賞口の内部（入賞領域）には、該大入賞口に入った遊技球を検出するための大入賞口用センサ（カウントセンサ）が配設されている。
【００３９】
一般入賞口形成部材１４，１４は、第１遊技領域１ａの下部に位置する遊技領域区画壁９に沿って配されており、前面側には一般入賞口２，２が形成されている。また、この一般入賞口２，２には、一般入賞口２，２に入った遊技球を検出するための一般入賞口センサが配設されている。また、一般入賞口形成部材１４，１４は、遊技に関連した装飾が施されて一部が光を透過可能に構成されているとともにＬＥＤなどを備えており、遊技盤１の装飾を行う遊技盤装飾装置の一部をなしている。
【００４０】
そして、遊技を開始することにより第１遊技領域１ａ内に打ち込まれた遊技球が、一般入賞口２，２、特図始動入賞口（始動入賞口１０、普通変動入賞装置３）、大入賞口（特別変動入賞装置４）等の入賞口の何れかに入賞すると、それぞれの入賞口に対応した所定数の賞球としての遊技球が排出発射制御装置３４（排出発射制御基板）の制御により排出装置１９０によって上皿１５３に排出される（払い出される）ようになっている。
【００４１】
また、流下方向規制装置７は、第１遊技領域１ａとなる遊技盤本体１ｂの前面に突出するように取り付けられている。この流下方向規制装置７は透光性を有する材質からなる部材で、鎧部７ａとその両端に接続した案内部７ｂ，７ｂとから略コ字状に形成されていて、コ字状の開口部分が下側を向くように第１遊技領域１ａの中央部に配され、第１遊技領域１ａの中央部分を区画するようになっている。これによって、第１遊技領域１ａに発射されて流下する遊技球が第１遊技領域１ａの左右に振り分けられ、第１遊技領域１ａの中央部分における画像表示面１７１の視認性が保たれるようになっている。
【００４２】
この流下方向規制装置７の鎧部７ａは、第１遊技領域１ａの中央部分に対して上側に配されて上方に突出するような円弧状をしており、その上面が中央から左右に下るような傾斜面とされている。このように上面が円弧状となっていることで、第１遊技領域１ａの上方に発射され、流下する遊技球を傾斜に沿って左右に振り分けることができるようになっている。
【００４３】
また、鎧部７ａの端部に連続した案内部７ｂ，７ｂは、第１遊技領域１ａの中央部分に対して左右に配されて下方に向かって延在するようになっている。この案内部７ｂ，７ｂは、鎧部７ａで左右に振り分けられた遊技球が中央部分へ戻らないように下方へ案内するものである。また、この案内部７ｂ，７ｂの下端部にはワープ流路への入口となるワープ入口１２，１２が、流下方向規制装置７の外側（案内部７ｂと、対向する遊技領域区画壁９との間）を流下する遊技球を受け入れ可能に形成されている。また、遊技盤本体１ｂにおけるワープ入口１２，１２が配される部分には、前後に貫通したワープ孔が形成され、ワープ入口１２，１２から流入した遊技球を、遊技盤本体１ｂの裏面側に形成された後述する第２遊技領域２０へ誘導可能とされている。
【００４４】
また、第１遊技領域１ａにおける始動入賞口１０の上側には、後述する第２遊技領域２０からの導出口１３が形成されている。この導出口１３は、遊技盤本体１ｂに形成された前後に貫通した導出孔に導出口形成部材２３を取り付けることで構成されている。この導出口形成部材２３は、遊技盤本体１ｂと略同じ厚みを有し、導出孔に嵌め込まれる部分に導出口１３を形成する筒状の開口２３ａが形成されている。この筒状の開口２３ａの内周面における下側の面（導出口１３の底面）は、後方に配される後述するステージ部材２１の形状に合わせた曲面とされているとともに前側に傾斜するようにされており、ステージから前側に誘導された遊技球を第１遊技領域１ａに誘導可能とされている。また、この曲面とされた遊技球が転動する下側の面の下方には、ステージの下方に前後方向に沿って延在するように形成された球誘導路２２の下流側端部が形成されている。導出口形成部材の前端部に位置する球誘導路２２の下流側端部は、始動入賞口１０の直上に位置するようになっており、ここを流下した遊技球は高い確率で始動入賞口１０に流入するようになっている。
【００４５】
図４，５に示すように、遊技盤１を構成する遊技盤本体１ｂの裏面側には、遊技盤裏面構成部材８０が取り付けられている。この遊技盤裏面構成部材８０は、上部カバー部材８１、下部カバー部材８２、側部カバー部材８４とから遊技盤本体１ｂの周囲に沿う矩形状に形成され、不透明又は半透明とされた合成樹脂（例えば、ポリカーボネートやＡＢＳ）からなる。この遊技盤裏面構成部材８０の略中央部には、遊技盤本体１ｂに形成された第１遊技領域１ａの大部分と重なるように略矩形状の視認開口８７が形成されている。
【００４６】
上部カバー部材８１は、遊技盤本体１ｂの裏面における上側部分を覆う板状の部材で、左右及び上側の周縁が遊技盤本体１ｂの上側部分における外周に沿うような形状をしている。また、下側の周縁は、遊技盤本体１ｂの前面側に形成された第１遊技領域１ａの周縁をなす遊技領域区画壁９に略沿うように湾曲した形状とされている。この上部カバー部材８１の裏面側には上部役物装置２５が取り付けられている。すなわち、上部カバー部材８１は上部役物装置２５の取り付けベースをなす。
【００４７】
上部役物装置２５はその大部分が、上部カバー部材８１の下側の周縁よりも下側に配されるようになっていて、その前面は遊技盤１の前面側から遊技盤本体１ｂを透して視認可能となっており、この前面には、例えば機種名や装飾図柄などが描かれ、装飾が施された装飾板が配されている。
【００４８】
この上部役物装置２５は、内部に演出部材と、この演出部材を駆動する駆動装置が設けられており、遊技の進行に合わせて演出部材を視認開口８７に現出させることで、遊技の演出を行うものである。すなわち演出部材は、通常時は上部役物装置２５の内部に収納された状態となっていて、遊技者からは見えないように機種名などが描かれた装飾板により隠蔽されており、この状態から駆動装置により駆動されて視認開口８７に現出し、遊技者から視認可能となることで演出を行うようになっている。また、この上部役物装置２５は遊技盤装飾装置の一部をなすものであって、第１演出制御装置３３が第２演出制御装置３１を介して制御するようになっている。また、上部役物装置２５は所定の前後幅を有し、遊技盤１と表示ユニット１７０の間の上部の隙間から遊技機１００の内部が見えないようにする機能も有する。
【００４９】
下部カバー部材８２は、遊技盤本体１ｂの裏面における下側部分を覆う板状の部材で、左右及び下側の周縁が遊技盤本体１ｂの下側部分における外周に沿うような形状をしている。また、上側の周縁は第１遊技領域１ａに設けられた役物装置（普通変動入賞装置３、特別変動入賞装置４、一般入賞口形成部材１４，１４）の後部を覆うことができるように、役物装置の配設部位における上縁部に沿う形状とされている。この下部カバー部材８２の裏面側には、役物装置の後部を覆う下部覆い部材６０が取り付けられるようになっている。すなわち、下部カバー部材８２は下部覆い部材６０の取り付けベースをなす。
【００５０】
下部覆い部材６０はその前面側に、始動入賞口１０、普通変動入賞装置３、特別変動入賞装置４、一般入賞口２，２などに入賞した遊技球を流下させる入賞球流路を備える。この入賞球流路は、遊技機１００の外部（島設備の回収樋）に連通する図示しない流路に接続するようになっている。また、この下部覆い部材６０の裏面側から見て左側の端部は、上下方向に沿って延在する回動軸を備える連結部６２が形成されており、第２演出制御装置３１が左右方向に扉状に回動可能に軸支されるようになっている。
【００５１】
また、下部覆い部材６０は透明な材質からなり、一部がレンズのように加工されていて、裏面側に配されたＬＥＤ基板（図示略）に備えられたＬＥＤからの光を役物装置に向けて誘導する機能も有する。さらに、下部覆い部材６０の上部には着色されて半透明とされた板状の表示領域区画壁６４が形成されており、表示領域を区画するとともに、遊技機１００の内部が見えないようにしている。なお、表示領域区画壁６４の形状は、下部覆い部材６０の前面に配された部材に対応した形状（一部が曲面）とされている。また、表示領域区画壁６４の下側には、ＬＥＤ基板６３が表示領域区画壁６４と平行になるように水平に配設されている。そして、このＬＥＤ基板６３の上面に配されたＬＥＤにより表示領域区画壁６４を下側から照らすことで、その光が半透明の表示領域区画壁６４を介して遊技領域を装飾するようになっている。また、下部覆い部材６０の裏面には、配線を中継するための中継基板６５が備えられている。また、下部覆い部材６０の裏面側には第２演出制御装置３１が取り付けられ、該第２演出制御装置３１の裏面側には遊技制御装置３０が取り付けられている。
【００５２】
第２演出制御装置３１は、画像データなどを記憶したＲＯＭを備える演出データ基板と、遊技盤装飾装置を駆動するための盤装飾ドライバを備えたドライバ基板を備え、遊技制御装置３０の制御の下で演出の制御を行うものである。この第２演出制御装置３１の裏面側には、第１演出制御装置３３のコネクタ部３３ａと直接接続するためのコネクタ部３１ｂが露出している。また、第２演出制御装置３１の裏面側には、左右方向に沿って延在する回動軸を備える一対の支持部３１ａ，３１ａが形成されており、遊技制御装置３０を上下方向に扉状に回動可能に軸支するようになっている。また、遊技を制御する遊技制御装置３０を軸支する支持部３１ａ，３１ａの近傍には、遊技制御装置３０が第１演出制御装置３３の裏面に沿って配された状態、すなわち遊技制御装置３０が起立した状態を保持する保持部材（図示略）が設けられている。すなわち、第２演出制御装置３１の裏面は遊技制御装置３０を取り付けるための台座をなす。
【００５３】
すなわち、機種に依存する演出データ基板を備えた第２演出制御装置３１、遊技制御装置３０は遊技盤１に取り付けられ、複数の機種で共通使用可能な第１演出制御装置３３、排出発射制御装置３４、電源供給装置３７は前面枠本体１３０もしくは裏機構枠１６０に取り付けられている。よって、遊技盤１を変更することにより機種に依存する装置（基板）のみが交換され、遊技機１００の遊技内容を変更することが可能である。
【００５４】
側部カバー部材８４は、遊技盤本体１ｂの左右それぞれの側端に沿って取り付けられており、上端部が上部カバー部材８１の下端に接して連続するように配されるとともに、下端部が下部カバー部材８２の上端部に接して連続するように配される。さらに、側部カバー部材８４と一体に表示領域区画壁９２を備える側壁部材９０が取り付けられている。
【００５５】
側壁部材９０は、表示領域を区画する表示領域区画壁９２を備え、該表示領域区画壁９２が遊技盤本体１ｂに対して上下方向に延在するとともに後方へ延出するような向きで配される。なお、左右の表示領域区画壁９２は遊技盤本体１ｂに対して略垂直に配されるが、より詳細には、後方へ向かって間隔が狭くなるように若干斜めに配されるようになっている。
【００５６】
この表示領域区画壁９２は、表示領域区画壁９２を通して遊技機１００の内部が透けて見えない程度の半透明とされており、表示領域区画壁９２の外側を前方から隠蔽するように構成されている。また、表示領域区画壁９２の遊技盤本体１ｂの側端側に配される面には波状の凹凸が形成されており、さらに、表示領域区画壁９２の遊技盤本体１ｂの中央側に配される面には、不透明な装飾用のシールが貼付されるようになっており、表示領域区画壁９２を透して遊技機１００の内部が見えないようになっている。
【００５７】
以上のような構成を有する上部役物装置２５、表示領域区画壁９２，６４によって、遊技盤本体１ｂの裏面側に前後方向に沿った筒状の空間が形成される。この表示領域区画壁９２，６４および上部役物装置２５は、遊技盤１の後方に配される後述する表示ユニット１７０の画像表示面１７１に近接するように配され（当接はしない）、特図変動表示ゲームに対応した表示ゲームなどの表示領域を区画するようになっている。すなわち、表示ユニット１７０の画像表示面１７１のうち、表示領域区画壁９２，６４および上部役物装置２５で囲まれた領域が遊技盤１の前面側から視認可能な表示領域（視認領域）となる。これによって、第１遊技領域１ａの大部分に表示ユニット１７０の画像が表示されることとなる。また後述するように、この遊技盤本体１ｂの裏面側における表示領域区画壁９２，６４および上部役物装置２５で囲まれた領域の一部が、遊技球が流下可能な第２遊技領域２０とされている。
【００５８】
なお、画像表示面１７１の面積は、遊技盤裏面構成部材８０に形成された視認開口８７よりも広いので、視認開口８７から露出する領域に所定の画像が表示されるように第１演出制御装置３３によって制御されている。また、上述したように、表示領域区画壁９２，６４と上部役物装置２５は、遊技機１００の内部が見えないようにする機能も有しており、これらで囲まれた視認開口８７の外周部分となる領域は遊技盤１の前面側からは見えないようになっている。
【００５９】
また、上部カバー部材８１、下部カバー部材８２の裏面には、遊技盤本体１ｂの左右端部に沿って配される周縁の近傍に後方へ突出する押圧部８３，８３，…が形成されている。この押圧部８３，８３，…は、図８に示すように、遊技盤１の裏面側に配される表示ユニット１７０の前面に、その後端部が当接するようになっている。すなわち、この押圧部８３，８３，…が当接する位置は、後述する表示ユニット１７０の外枠をなす表示ユニットケース１７４の前面であって、上部前面部材１７７の前面における左右端部近傍の２ヶ所と、下部前面部材１７８の前面における左右端部近傍の２ヶ所の計４ヶ所となっている。また、表示ユニット１７０は、後述するように付勢部材としての圧縮コイルばね１８２によって前側に付勢されているので、押圧部８３，８３，…と表示ユニット１７０は密着した状態で保持されるようになっている。
【００６０】
また、押圧部８３，８３，…は、所定の前後幅を有しており、押圧部８３，８３，…が表示ユニット１７０の前面に当接することで、遊技盤１と表示ユニット１７０は所定の間隔をおいて平行に配され、両者の間に空間部が形成されるようになっている。なお、押圧部８３，８３，…の前後幅は、上述した表示領域区画壁９２の前後幅よりも若干広くされており、押圧部８３，８３，…が表示ユニット１７０の前面に当接することで、表示領域区画壁９２が画像表示面１７１に近接した位置に配されるようになっている。
【００６１】
このように、遊技盤１に対して表示ユニット１７０が所定の間隔をおいて遊技機１００の奥側に配されるので、表示ユニット１７０と遊技者との距離を確保でき、奥行き感を出すことができるとともに、大型の表示ユニット１７０を用いた場合でも、遊技者にとって見やすい構成とすることができる。また、遊技盤側から入り込む外光によって画像表示面１７１における表示が見にくくなることを防止できる。
【００６２】
また、図４，５に示すように、押圧部８３，８３，…は上部カバー部材８１の裏面、下部カバー部材８２の裏面に形成された基部８３ａと、基部８３ａの後端部にねじによって取り付けられた摩擦係数が低い材質（例えば、ポリアセタール、金属）からなる押圧部材８３ｂとを有している。さらに、上部カバー部材８１、下部カバー部材８２の裏面側から見て右側に位置する押圧部８３，８３の基部８３ａには、押圧部材８３ｂに加え、上下方向に沿った軸を中心に回動可能なローラ８３ｃが、外側に位置する角部に取り付け可能とされている。
【００６３】
表示ユニット１７０の前面に当接する押圧部８３，８３，…がこのような構成を有することで、押圧部８３，８３，…が表示ユニット１７０の前面に当接し、押圧した状態で、容易に適切な位置に移動することができるようになっている。
【００６４】
以上のことから、遊技盤１の裏面には、後方に延出し表示ユニット１７０の前面に当接する当接部材（押圧部８３，８３，…）を設け、付勢部材（圧縮コイルばね１８２）が表示ユニット１７０を前方に付勢することにより、該表示ユニット１７０が位置規制されるようにしたこととなる。
【００６５】
また、遊技盤本体１ｂの裏面側における表示領域区画壁９２，６４および上部役物装置２５で囲まれた領域内には、遊技装置としてのステージ部材２１が配されている。このステージ部材２１は透光性を有する材質からなる板状の部材であって、左右の端部は表示領域区画壁９２に一部が支持されるとともに近接して配され、後端部は表示領域区画壁９２の後端部と等しい前後位置に配されている。すなわち、このステージ部材２１によって、表示領域区画壁９２，６４および上部役物装置２５によって形成された前後方向に沿った筒状の空間が上下に区画されるようになっている。そして、遊技盤１の裏面側に表示ユニット１７０が配されることで、表示ユニット１７０と表示領域区画壁９２、ステージ部材２１および上部役物装置２５によって囲まれた空間である第２遊技領域２０が遊技盤本体１ｂの裏面側に形成される。このように形成される第２遊技領域２０へは、案内部７ｂ，７ｂに形成されたワープ入口１２，１２に流入した遊技球が誘導されるようになっている。
【００６６】
遊技盤本体１ｂの裏面におけるワープ入口１２，１２と対応する位置には、遊技装置としての遊技球流路形成部材をなすワープ流路形成部材２４，２４が配されている。このワープ流路形成部材２４，２４は透光性を有する材質からなる部材で、ワープ入口１２，１２に流入してワープ孔を通って遊技盤本体１ｂの裏面に至った遊技球を、ステージ部材２１の上面に形成されたステージ２１ａ上に誘導するワープ流路が内部に形成されている。このワープ流路は、遊技球を一列で流下可能な筒状の流路であって、その入口となる上流側端部は遊技盤本体１ｂに形成されたワープ孔に接続しており、ここから遊技盤本体１ｂの裏面に沿って遊技盤本体１ｂの側端方向へ屈曲し、出口となる下流側端部はステージ２１ａの側端部の上方に近接した位置に配されるようになっている。これによって、第１遊技領域１ａに開口したワープ入口１２に流入した遊技球は、ワープ流路を通って第２遊技領域２０におけるステージ部材２１の上面に形成されたステージ２１ａ上を遊技盤１の外側に向かって流下するように誘導されることとなる。このように、ワープ流路からステージの側端方向へ遊技球が排出されるので、ステージ２１ａの端から端まで有効に利用できるようになり、ステージ２１ａ上に一度に多数の遊技球を転動させることが可能となる。
【００６７】
ステージ部材２１は、左右両側が中央に向かって下る傾斜面となっているとともに、中央部が上向きに突出した略Ｗ字状に形成されている。そして、このステージ部材２１の上面が、遊技球が転動するステージ２１ａとされ、遊技球が略Ｗ字状の傾斜に沿って左右に転動するようになっている。また、このステージ部材２１の中央部は、遊技盤本体１ｂに形成された導出口１３の後方に位置するように形成されており、ステージ２１ａは、導出口形成部材２３によって形成された導出口１３の底面に連続するようになっている。これによって、ステージ２１ａ上を転動する遊技球は前側へ誘導され、導出口１３から第１遊技領域１ａへ導出されることとなる。
【００６８】
また、ステージ２１ａの左右方向の中央であって、遊技球が転動する面の下側には、遊技球が流下可能な流路である球誘導路２２の後方部分が形成されている。この球誘導路２２は、前後方向に沿って延在するように形成された遊技球が一個流下可能な内径を有する筒状の流路で、前側に向かって下るように傾斜している。この球誘導路２２の上流側端部はステージ２１ａに開口しており、下流側端部は上述したように、導出口形成部材２３の前端部に開口している。
【００６９】
図２，３，６，７に示すように、裏機構枠１６０は、裏機構枠本体１６１と、画像を表示する画像表示装置としての表示ユニット１７０を案内するとともに前方向への移動を規制する移動規制部材１６２とを有し、表示ユニット１７０の他、表示ユニット１７０を制御する第１演出制御装置３３、賞球などを排出する排出装置１９０と排出装置１９０に遊技球を供給する貯留タンク１９２が設けられている。
【００７０】
上述したように、裏機構枠１６０の前から見て左側の端部は、前面枠本体１３０の裏面であって遊技機１００の裏面側から見て右側の側部に回動可能に軸支されており、前面枠本体１３０に形成されて遊技盤１が嵌め込まれる開口部１３１を裏面側から覆って遊技盤１の裏面に臨む状態から、後方に扉状に回動して遊技盤１の裏面側を開放する状態との間で回動可能となっている。すなわち、裏機構枠１６０に表示ユニット１７０が配設されることで、表示ユニット１７０は該裏機構枠１６０を介して前面枠１２０側に配設された状態で遊技盤１の後方位置に配設されることとなる。そして、裏機構枠本体１６１において遊技盤１と平行に配され、遊技盤１の裏面側を覆うように配される部分が後面部１６１ａとなる。
【００７１】
図３，７に示すように、裏機構枠本体１６１は所定の厚みを有し、この裏機構枠本体１６１の前後面に種々の機構体が取り付けられている。裏機構枠本体１６１の前面には、表示ユニット１７０を前側に付勢する付勢部材としての圧縮コイルばね１８２を収納する後側が閉鎖された筒状の付勢部材収納部１８１が形成されている。また、裏機構枠本体１６１の後面部１６１ａの背面には、第１演出制御装置配設部１６５や接続用凹部１８３、流路形成凹部１８４、排出装置配設凹部１８５などの前方に窪んで後方に開口した凹部が形成されており、裏機構枠本体１６１の前面の一部はこれら凹部の裏面によって形成されている。また、裏機構枠本体１６１の前面の周囲には、上下の一部を除いて前側に延出する周囲壁１８７が形成されており、裏機構枠本体１６１の前面側は全体が凹部となっている。
【００７２】
図３に示すように、裏機構枠１６０の後面部１６１ａの背面（裏面）には、前方に窪んで後方に開口した略矩形状の凹部である第１演出制御装置配設部１６５が形成され、ここに第１演出制御装置３３が配設されている。この第１演出制御装置３３はＣＰＵなどを備えた演出制御基板を有し、画像表示装置をなす表示ユニット１７０における液晶表示器の表示を制御する表示制御装置をなすものである。
【００７３】
また、第１演出制御装置３３の上下幅は、第１演出制御装置配設部１６５の上下幅よりも広く、第１演出制御装置配設部１６５に第１演出制御装置３３を収容すると、第１演出制御装置３３の下部が第１演出制御装置配設部１６５の下方に形成された開口部１６３に延出するようになっている。そして、図７に示すように、第１演出制御装置３３の前面側であって開口部１６３に延出する部分からはコネクタ部３３ａが外側に露出している。
【００７４】
図５に示すように、遊技盤１の裏面には第２演出制御装置３１が取り付けられており、この第２演出制御装置３１の裏面にはコネクタ部３１ｂが外部に露出している。そして、この第２演出制御装置３１のコネクタ部３１ｂと第１演出制御装置３３のコネクタ部３３ａは、互いに対向するように配され、第２演出制御装置３１と第１演出制御装置３３が直接接続できるようになっている。
【００７５】
また、図３に示すように、後面部１６１ａの背面であって、裏機構枠１６０の裏面側から見て、第１演出制御装置配設部１６５の右側には、第１演出制御装置３３と他の装置等を接続する配線を収納する接続用凹部１８３が形成されている。この接続用凹部１８３の上半部はカバー部材１６６によって覆われ、下半部は遊技制御装置３０によって覆われるようになっている。このように配線を接続用凹部１８３内に収納し、接続用凹部１８３の開口部分をカバー部材１６６および遊技制御装置３０で覆って閉鎖することにより、配線が露出してばらけてしまうことを防止することができる。
【００７６】
裏機構枠本体１６１の上面には、遊技機１００が設置される図示しない島設備に設けられた供給装置から供給される遊技球を一時貯留し、排出装置１９０に供給する貯留タンク１９２が取り付けられるようになっている。
【００７７】
この貯留タンク１９２の底面は、裏機構枠本体１６１の後方に向かって下るとともに、裏機構枠本体１６１の裏面側から見て左方向に下る傾斜を有しており、この傾斜下流側に位置する貯留タンク１９２の底面には、貯留タンク１９２内の遊技球を外部に排出する排出口として遊技球が通過可能な開口（図示略）が形成されている。
【００７８】
貯留タンク１９２の排出口は後面部１６１ａの背面に位置しており、後面部１６１ａの背面に形成された流路形成凹部１８４には、この排出口に連通した導出流路を形成する導出流路形成部材１９５，１９６が取り付けられている。この導出流路は、排出口から排出された遊技球を裏機構枠１６０の右端部へ誘導するとともに、裏機構枠１６０の右端部においてさらに下方へ誘導するように形成されており、その下流側端部は裏機構枠１６０の裏面に設けられた排出装置１９０に接続している。
【００７９】
排出装置１９０は、裏機構枠本体１６１の裏面側から見た右端部における上下方向の略中央に形成された排出装置配設凹部１８５に取り付けられている。この排出装置１９０は、上部に導出流路に接続する遊技球を受け入れる流入口を、下部に下部流路に接続する遊技球を排出する排出口を備えており、排出発射制御装置３４が遊技制御装置３０の制御の下で排出装置１９０を作動させることで、所定数の遊技球を下部流路に排出するようになっている。
【００８０】
排出装置１９０の排出口に接続した下部流路は、裏機構枠１６０の裏面側から見た右端に沿って取り付けられた下部流路形成部材１９７によって形成されており、排出装置１９０から排出された遊技球を下方に誘導するようになっている。この下部流路は、上皿１５３に接続しており、排出装置１９０から排出された所定数の遊技球が、発射操作ユニット１５０の前面に形成された上皿１５３に排出されるようになっている。なお、貯留タンク１９２の排出口から排出装置１９０に至る導出流路内には、常に遊技球が待機している状態となっており、排出装置１９０によって導出流路内の遊技球が排出されることに伴って貯留タンク１９２から流路に遊技球が流入するようになっている。
【００８１】
図２，６，７，９に示すように、裏機構枠１６０の前面側は、全体が前側に開口した凹部となっており、ここに表示ユニット１７０が収容されている。
図７，９に示すように、裏機構枠本体１６１の前面であって上部には、左右の周囲壁１８７に隣接して、所定の左右幅を有する下側に開口した溝状の凹部１６９ａ，１６９ａが形成されている。この所定の左右幅とは、後述する表示ユニット１７０の上部に形成された被案内部１７６の左右幅より若干広い幅であり、この部分が被案内部１７６を前後方向に案内する案内部１６９の一部をなす。
【００８２】
また、上述した溝状の凹部１６９ａ，１６９ａと上下に対向するように、裏機構枠本体１６１の前面であって下部には、左右の周囲壁１８７に隣接して、所定の左右幅を有する上側に開口した溝状の凹部１６９ａ，１６９ａが形成されている。この溝状の凹部１６９ａ，１６９ａの所定の左右幅は、後述する表示ユニット１７０の下部に形成された被案内部１７６の左右幅より若干広い幅であり、この部分も被案内部１７６を前後方向に案内する案内部１６９の一部をなす。
【００８３】
付勢部材収納部１８１は、表示ユニット１７０を前方向へ付勢する付勢部材としての圧縮コイルばね１８２を収容する部分である。この付勢部材収納部１８１は、圧縮コイルばね１８２の外径と略同じ内径を有する円筒形の凹部で、裏機構枠本体１６１の左右方向の中心に沿って上下に２つ設けられている。
【００８４】
また、この裏機構枠本体１６１の前側には、それぞれコ字状の移動規制部材１６２，１６２が左右の側面を前側に延長するように取り付けられている。裏機構枠１６０の前面側から見て左側に設けられた移動規制部材１６２には、上下に軸受け部１６２ａ，１６２ａが形成されており、前面枠本体１３０の裏面側に設けられた上下方向に延在する回動軸（図示略）を軸受け部１６２ａ，１６２ａに回動可能に嵌合することで、裏機構枠１６０が前面枠本体１３０に対して回動可能に軸支されるようになっている。また、裏機構枠１６０の前面側から見て右側に設けられた移動規制部材１６２には、上下にねじ穴１６２ｄ，１６２ｄが形成されており、裏機構枠１６０を遊技盤１の裏面に配した状態（裏機構枠１６０を閉じた状態）で、ねじ穴１６２ｄ，１６２ｄにねじを挿通し、前面枠本体１３０に形成された図示しないねじ止め部に螺合することで裏機構枠１６０が固定されるようになっている。
【００８５】
そして、後面部１６１ａおよび周囲壁１８７、移動規制部材１６２，１６２によって、所定の奥行きを有するとともに前面側（遊技盤１の裏面に臨む側）に開口した略矩形凹室形状の空間（少なくとも背面と左右側面とを囲まれた空間）が形成され、この空間が表示ユニット１７０を収納する表示ユニット収納部１６８となる。すなわち、移動規制部材１６２，１６２は裏機構枠本体１６１における後面部１６１ａの左右端部の各々に設けられ、周囲壁１８７とともに表示ユニット収納部１６８の側面部をなす。
【００８６】
このような移動規制部材１６２，１６２は、左右の周囲壁１８７，１８７から裏機構枠本体１６１の中央側へ向かう所定範囲と、裏機構枠本体１６１の前面側における左右端部の上下に形成された溝状の凹部１６９ａ，１６９ａ，…の前側を覆うように取り付けられる。そして、裏機構枠本体１６１の上下に形成された溝状の凹部１６９ａ，１６９ａ，…と対向するように配される部分には、裏機構枠本体１６１に形成された溝状の凹部１６９ａ，１６９ａ，…と同じ形状をした溝状の凹部１６９ｂ，１６９ｂ，…（図９に図示）が形成されている。
【００８７】
そして、移動規制部材１６２，１６２を裏機構枠本体１６１に取り付けることによって、溝状の凹部１６９ｂ，１６９ｂ，…が裏機構枠本体１６１の上下に形成された溝状の凹部１６９ａ，１６９ａ，…と連続する。これにより、上下にそれぞれ対向するように、移動規制部材１６２，１６２から裏機構枠本体１６１にかけて前後方向に沿って延在する溝状の凹部である案内部１６９が形成される。すなわち、裏機構枠本体１６１とその前側に配された移動規制部材１６２，１６２により形成される表示ユニット収納部１６８における上下の内側面の左右に、表示ユニット１７０の上下の側部にそれぞれ設けられるとともに前記上下の側部の左端部及び右端部の合わせて４カ所から外側（上側もしくは下側）に突出する後述の被案内部１７６，１７６，…を前後に移動自在に案内する概略溝状の案内部１６９，１６９，…が設けられることとなる。
【００８８】
また、この溝状の案内部１６９，１６９，…のうち、裏機構枠１６０の下側に形成された案内部１６９，１６９には、底面を形成する矩形板状のレール部材１６７が配されている。このレール部材１６７の表面は摩擦係数が低い材質（例えば、ポリアセタール、金属）からなり、案内部１６９の前後左右幅に等しい前後左右幅を有する。また、レール部材１６７は所定の厚みを有し、表示ユニット１７０の荷重がかかっても撓まない程度の強度を有する。
【００８９】
また、レール部材１６７の前後の端部には切欠き状の係合部１６７ａ，１６７ａが形成されており、下側の案内部１６９，１６９を形成する裏機構枠本体１６１の溝状の凹部１６９ａ，１６９ａにおける後端部に形成された支持部１６９ｄ、移動規制部材１６２の溝状の凹部１６９ｂにおける前端部に形成された支持部１６９ｅに係合、支持されるようになっている。これにより、レール部材１６７は裏機構枠本体１６１と移動規制部材１６２とに掛け渡され、案内部１６９の底面をなすように水平に固定されるようになっている。このレール部材１６７によって、裏機構枠本体１６１と移動規制部材１６２によって形成される案内部１６９の底面に段差が生じることがなく、さらには、摩擦係数が低い材質からなることから、表示ユニット１７０を滑らかに移動させることが可能となる。
【００９０】
以上のように形成される表示ユニット収納部１６８には、画像表示面１７１が前側（開口した側）となるように表示ユニット１７０が配設されており、図２に示すように裏機構枠１６０を遊技盤１の裏面に臨むように配することで、図８に示すように遊技盤１の裏面側に表示ユニット１７０の画像表示面１７１が臨むようになっている。
【００９１】
図６から１５に示すように、表示ユニット１７０は、前面側が開口した矩形箱状（額縁状）に形成された表示ユニットケース１７４と、この矩形箱状の表示ユニットケース１７４に収容された液晶表示パネル１７５（液晶表示器、バックライトを含む）とを有する。そして、表示ユニットケース１７４の前面側から液晶表示パネル１７５の画像表示面１７１を有する前面が露出している。
【００９２】
図１３に示すように、液晶表示パネル１７５は略矩形板状をしており、液晶表示器、バックライト、制御装置１７５ｂ等を有し、前側に画像を表示可能な画像表示面１７１を備える。この液晶表示パネル１７５の後面には、制御装置１７５ｂの一部が後方に突出するとともに、裏機構枠１６０の第１演出制御装置３３と接続するためのコネクタ部１７５ｃが配されている。また、液晶表示パネル１７５の上下の側部には、被案内部形成部材１７２を取り付けるための矩形板状の取付片１７５ａが、画像表示面１７１と平行に外側へ延出するように形成されている。また、この取付片１７５ａの中央には、被案内部形成部材１７２を固定するための前後に貫通する貫通孔１７５ｄが形成されている。
【００９３】
また、図２に示すように、画像表示面１７１の面積は、前面枠本体１３０に形成された開口部１３１に嵌め込まれた遊技盤１の大部分を裏面側から覆うことができる面積となっており、遊技盤裏面構成部材８０に形成された、遊技盤本体１ｂを透して後方を視認可能な視認開口８７（図４に図示）よりも広いものである。すなわち、画像表示面１７１の面積が、少なくとも遊技盤裏面構成部材８０に形成された視認開口８７よりも広く、遊技盤裏面構成部材８０に形成された視認開口８７の大きさが変化してもそれに対応できるようになっている。このように、液晶表示器の画像表示面１７１が遊技盤１の裏面側を幅広く覆うようにすることで、遊技盤１を交換して遊技機１００の遊技内容を変更する場合に、多種の遊技盤１に対応できるようになっている。
【００９４】
また、液晶表示器は、画像表示面１７１の面積が遊技盤裏面構成部材８０に形成された視認開口８７よりも広いので、遊技盤裏面構成部材８０に形成された視認開口８７から露出する領域に所定の画像が表示されるように第１演出制御装置３３によって制御されている。この画像表示領域を決定する遊技盤１の遊技盤裏面構成部材８０に形成された視認開口８７の大きさや位置に関する初期情報や、変動表示ゲームの画像に関する情報は第２演出制御装置３１の演出データ基板に記憶されているが、第２演出制御装置３１は遊技盤１に取り付けられており、遊技盤１と一緒に第２演出制御装置３１も交換される。よって、遊技盤１の交換に伴い、例えば、これまでの遊技盤に対応した画像表示領域から、新たな遊技盤１に対応した画像表示領域に変更できるようになっている。
【００９５】
図１３に示すように、表示ユニットケース１７４は、液晶表示パネル１７５の裏面側を覆うユニットケース本体２００と、液晶表示パネル１７５の前面側における上側を覆う上部前面部材１７７、下側を覆う下部前面部材１７８とからなる。
【００９６】
ユニットケース本体２００は、後壁２０１とその周囲を囲む周囲壁２０２とから前側に開口した箱状に形成され、この後壁２０１と周囲壁２０２によって囲まれた領域が液晶表示パネル１７５を収納する収納部とされている。このユニットケース本体２００は、収納部に液晶表示パネル１７５を収納することで、液晶表示パネル１７５を後方から覆うように配される。
【００９７】
また、ユニットケース本体２００の上下の側部であって、液晶表示パネル１７５を収納部に収納した際に液晶表示パネル１７５の上下の側部に形成された取付片１７５ａと対応する位置には、切欠き状の開口部２０４が形成されており、取付片１７５ａがこの開口部２０４を通って収納部の外側へ延出するようになっている。この開口部２０４の前後幅は、板状の取付片１７５ａの前後幅（厚み）と等しく、また、左右幅は取付片１７５ａの左右幅と等しくされている。これにより、開口部２０４にちょうど取付片１７５ａが収容されてユニットケース本体２００の前端面（周囲壁２０２の前端面）と取付片１７５ａの前面とが面一となるようにされている。
【００９８】
また、ユニットケース本体２００における開口部２０４の外側には、矩形板状の本体部取付片２０５がユニットケース本体２００の後壁２０１と平行に外側へ延出するように形成されている。この本体部取付片２０５は開口部２０４の後端部に形成され、液晶表示パネル１７５に形成された取付片１７５ａの開口部２０４から外側へ延出する部分と同じ上下幅、左右幅を有しており、取付片１７５ａの後面に密着して重なるようになっている。また、本体部取付片２０５にも取付片１７５ａと同じく、被案内部形成部材１７２を固定するための前後に貫通する貫通孔２０５ａが、取付片１７５ａの貫通孔１７５ｄと連通する位置に形成されている。
【００９９】
上部前面部材１７７は、液晶表示パネル１７５の取付片１７５ａよりも前面側で、かつ、液晶表示パネル１７５の上端から画像表示面１７１の上端の範囲を覆うように配される。この上部前面部材１７７の上面の側部における後端部であって、液晶表示パネル１７５の取付片１７５ａと対応する位置には、上方へ延出する板状の上部前面取付片１７７ａが、上部前面部材１７７の上面の後端面と上部前面取付片１７７ａの後面が面一となるように形成されている。この上部前面取付片１７７ａは、液晶表示パネル１７５の上部に形成された取付片１７５ａの開口部２０４から外側へ延出する部分と同じ上下幅、左右幅を有し、取付片１７５ａの前面に密着して重なるようになっている。また、上部前面取付片１７７ａにも取付片１７５ａと同じく、被案内部形成部材１７２を固定するための前後に貫通する貫通孔１７７ｂが、取付片１７５ａの貫通孔１７５ｄと連通する位置に形成されている。
【０１００】
また、下部前面部材１７８も上部前面部材１７７と同じ構成を有し、液晶表示パネル１７５の取付片１７５ａよりも前面側で、かつ、液晶表示パネル１７５の下端から画像表示面１７１の下端の範囲を覆うように配される。この下部前面部材１７８の下面の側部における後端部であって、液晶表示パネル１７５の取付片１７５ａと対応する位置には、下方へ延出する板状の下部前面取付片１７８ａが、下部前面部材１７８の下面の後端面と下部前面取付片１７８ａの後面が面一となるように形成されている。この下部前面取付片１７８ａは、液晶表示パネル１７５の下部に形成された取付片１７５ａの開口部２０４から外側へ延出する部分と同じ上下幅、左右幅を有し、取付片１７５ａの前面に密着して重なるようになっている。また、下部前面取付片１７８ａにも取付片１７５ａと同じく、被案内部形成部材１７２を固定するための前後に貫通する貫通孔１７８ｂが、取付片１７５ａの貫通孔１７５ｄと連通する位置に形成されている。
【０１０１】
そして、ユニットケース本体２００の収納部に液晶表示パネル１７５を画像表示面１７１が前側となるように収納した状態で、上部前面部材１７７、下部前面部材１７８を前側から取り付けることで液晶表示パネル１７５が表示ユニットケース１７４に収納されることとなる。このとき、上述したように、ユニットケース本体２００の前端面（周囲壁２０２の前端面）と取付片１７５ａの前面とは面一となっており、この前端面と上部前面部材１７７、下部前面部材１７８の後端面とが密着するようになっている。
【０１０２】
これにより、液晶表示パネル１７５の上側に形成された取付片１７５ａは、上部前面取付片１７７ａと本体部取付片２０５とに挟まれ、被案内部形成部材１７２を取り付ける上部取付部を形成する。この上部取付部においては、取付片１７５ａの貫通孔１７５ｄと、本体部取付片２０５に形成された貫通孔２０５ａ、上部前面取付片１７７ａに形成された貫通孔１７７ｂとが連通し、上部取付部を前後に貫通する貫通孔が形成される。
【０１０３】
そして、被案内部形成部材１７２は上部取付部を覆うように、すなわち、液晶表示パネル１７５の上側に形成された取付片１７５ａが上部前面取付片１７７ａと本体部取付片２０５とに挟まれた状態を保持するように取り付けられるようになっている。このとき、被案内部形成部材１７２の後方に形成されたねじ孔から、上部取付部を前後に貫通する貫通孔を通して、被案内部形成部材１７２の前方部分にねじを螺合することで、被案内部形成部材１７２が上部取付部に固定される。このように上部取付部に被案内部形成部材１７２を取り付けることで、表示ユニット１７０の上部に被案内部１７６が形成されるとともに、ユニットケース本体２００と上部前面部材１７７とが固定されるようになっている。
【０１０４】
また、液晶表示パネル１７５の下側に形成された取付片１７５ａは、下部前面取付片１７８ａと本体部取付片２０５とに挟まれ、被案内部形成部材１７２を取り付ける下部取付部を形成する。この下部取付部においては、取付片１７５ａの貫通孔１７５ｄと、本体部取付片２０５に形成された貫通孔２０５ａ、下部前面取付片１７８ａに形成された貫通孔１７８ｂとが連通し、下部取付部を前後に貫通する貫通孔が形成される。
【０１０５】
そして、被案内部形成部材１７２は下部取付部を覆うように、すなわち、液晶表示パネル１７５の下側に形成された取付片１７５ａが下部前面取付片１７８ａと本体部取付片２０５とに挟まれた状態を保持するように取り付けられるようになっている。このとき、被案内部形成部材１７２の前後に形成されたボスが下部取付部を前後に貫通する貫通孔に挿通され、さらに、ボスの内部を通すように、被案内部形成部材１７２の後方に形成されたねじ孔から、前方部分にねじを螺合することで、被案内部形成部材１７２が下部取付部に固定される。このように下部取付部に被案内部形成部材１７２を取り付けることで、表示ユニット１７０の下部に被案内部１７６が形成されるとともに、ユニットケース本体２００と下部前面部材１７８とが固定されるようになっている。
【０１０６】
また、上部取付部、下部取付部に取り付けられる被案内部形成部材１７２は、摩擦係数が低い材質（例えば、ポリアセタール、金属）からなり、案内部１６９内で滑らかに移動可能とされている。さらに、表示ユニット１７０の下面に設けられた被案内部１７６は、その下部に滑動体として左右方向に沿った回転軸を有するローラ１７２ａを備えている。
【０１０７】
また、ユニットケース本体２００の後壁２０１には、収納部に液晶表示パネル１７５を収納した状態で、液晶表示パネル１７５の後方に突出する制御装置１７５ｂと対応する位置に、制御装置１７５ｂを収容する前後に貫通した開口である制御装置収容部２０６が形成されている。また、この制御装置収容部２０６に隣設してユニットケース本体２００の後壁２０１における後面には、制御装置１７５ｂに接続する配線を保持する配線保持部２０６ａが形成されている。
【０１０８】
さらに、ユニットケース本体２００の後壁２０１には、前後に貫通した開口である配線用開口２０７が形成されている。この配線用開口２０７は、収納部に液晶表示パネル１７５を収納した状態で、液晶表示パネル１７５の後面に配されたコネクタ部１７５ｃと対応する位置に形成されており、ここからコネクタ部１７５ｃが表示ユニット１７０の後方に露出するようになっている。また、この配線用開口２０７に隣設してユニットケース本体２００の後壁における後面には、コネクタ部１７５ｃに接続され、液晶表示パネル１７５と裏機構枠１６０の裏面側に配される第１演出制御装置３３とを接続する配線を保持する配線保持部２０７ａが形成されている。
【０１０９】
なお、この配線用開口２０７が形成された位置は、表示ユニット１７０を表示ユニット収納部１６８に収納した際に、後面部１６１ａに形成された第１演出制御装置配設部１６５に対応する位置となっており、第１演出制御装置配設部１６５にもこれに対応して配線を挿通する配線用開口１６５ａ（図７に図示）が形成されている。
【０１１０】
また、ユニットケース本体２００の後壁２０１における後面には、付勢部材としての圧縮コイルばね１８２を取り付けるためのガイド部２０８，２０８が形成されている。このガイド部２０８，２０８が形成された位置は、表示ユニット１７０を裏機構枠１６０に配した際に、裏機構枠本体１６１に形成された付勢部材収納部１８１と対向する位置となっている。このガイド部２０８，２０８は、圧縮コイルばね１８２の内径と略同じ外径を有する円柱状であって、後方へ突出するように形成されている。
【０１１１】
また、ユニットケース本体２００の後壁２０１における後面には、ガイド部２０８，２０８を囲むように後方へ突出するリブ２０９が形成されている。このリブ２０９は、後述する押圧力分散部材２２０の外形に合わせて形成されており、このリブ２０９によって囲まれる領域の形状は、上下方向に延在するとともに中央部分が上下に位置する一辺部延設方向（左右方向）にくびれている。
【０１１２】
すなわち、ユニットケース本体２００の中央部分においては、リブ２０９がガイド部２０８，２０８を挟んでユニットケース本体２００の上下方向に沿うように、所定の左右幅をおいて平行に形成されている。また、ガイド部２０８，２０８が形成された部分の上側及び下側では、ユニットケース本体２００の上下端部に向かってリブ２０９で囲まれる領域の左右幅を拡幅するようにリブ２０９が斜めに形成されている。さらに、ユニットケース本体２００の上下端部においては、ユニットケース本体２００の上下端部に沿って左右方向に沿うように形成されている。なお、ユニットケース本体２００の上下端部に位置するリブ２０９は平行になっている。また、ユニットケース本体２００の下部には前側に窪んだ段部２１４が形成されており、ユニットケース本体２００の下端部に沿って左右方向に沿うように形成されるリブ２０９は、この段部２１４の上縁部に沿って形成されている。このように形成されたリブ２０９によって囲まれる領域の形状は、中央部分が矩形状で、この矩形状の領域の上下に台形状の領域が連続した形状となっている。
【０１１３】
また、ユニットケース本体２００の中央部分に上下方向に沿って平行に形成されたリブ２０９に隣設して、リブ２０９で囲まれた領域の外側には、リブ２０９に沿って上下方向に延在する前方に窪んだ溝部２１０，２１０が形成されている。この溝部２１０，２１０には、後述する押圧力分散部材２２０における中央折り曲げ部２２５，２２５の前端部が収容されるようになっている。
【０１１４】
また、リブ２０９で囲まれた領域内であって、ユニットケース本体２００の上下端部に沿ったリブ２０９に隣設する位置のそれぞれには、押圧力分散部材２２０を固定するための係止部材２１１，２１１，…が、左右に離間するように二つずつ四ヶ所に形成されている。この係止部材２１１，２１１，…は、後方へ延出する左右方向に弾性変形可能な延出部と、該延出部の後端に形成され、左右に対向する係止部材２１１側へ向かって突出する爪部とを有する。
【０１１５】
図１０，１１，１２，１４，１５に示すように、表示ユニット１７０の裏面側であって、付勢部材としての圧縮コイルばね１８２が取り付けられるガイド部２０８の周囲には、圧縮コイルばね１８２からの押圧力が、表示ユニット１７０の一部分に集中しないように分散する押圧力分散部材２２０が設けられている。この押圧力分散部材２２０は、ユニットケース本体２００の後壁２０１の後面における向かい合う上下一組の一辺部と他辺部とに亘って設けられるようになっている。この押圧力分散部材２２０は金属製の板状の部材で、上下の一辺側と他辺側よりも中央部分が上下の一辺側延設方向（ユニットケース本体２００の後壁２０１に配設した際には、その後面における上下に位置する一辺部の延設方向）にくびれた形状に形成されている。より詳しくは、押圧力分散部材２２０の中央部分は矩形状とされ、この矩形状の部分の上下に、上下端部へ向かって左右幅が拡幅するような台形状の部分が連続した形状となっている。
【０１１６】
以上のことから、押圧力分散部材２２０は、表示ユニット１７０裏面の一辺部と他辺部とに当接する一辺側と他辺側よりも中央部分が一辺部延設方向にくびれていることとなる。
【０１１７】
また、矩形状をした押圧力分散部材２２０の中央部分には、ガイド部２０８，２０８と対応するように、円柱状のガイド部２０８，２０８の外径に略等しい円形の開口部２２１，２２１が形成されている。また、台形状の部分であって上下端部に近い位置のそれぞれには、ユニットケース本体２００の後壁の後面に形成された係止部材２１１，２１１，…が係合する被係止部２２２，２２２…が、左右に離間して二つずつ、四ヶ所に形成されている。この被係止部２２２は、前後に貫通する矩形状の貫通孔２２２ａを有し、この貫通孔２２２ａにおける押圧力分散部材２２０の左右方向の中央側に位置する辺には、係止部材２１１の爪部が係合する係合穴２２２ｂが形成されている。
【０１１８】
また、図１４に示すように、板状の押圧力分散部材２２０の外周部分には直角に前方へ折り曲げられ、前方に延出する折り曲げ部２２３が形成されている。この折り曲げ部２２３のうち上下の折り曲げ部は、前端がユニットケース本体２００の後壁２０１の後面に当接し、押圧力を伝達する表示ユニット当接部２２４，２２４とされている。また、下側の表示ユニット当接部２２４は、ユニットケース本体２００の下部に形成された前側に窪んだ段部２１４に当接することから、上側の表示ユニット当接部２２４よりも前側に延出するように形成されている。
【０１１９】
また、折り曲げ部２２３のうち、押圧力分散部材２２０の中央部分である矩形状の部分に沿って形成された折り曲げ部２２３は、中央折り曲げ部２２５，２２５として、他の部分より前方に延出している。この押圧力分散部材２２０の中央部分は、圧縮コイルばね１８２が当接して押圧力を受ける部分であるとともに、特に撓みやすい表示ユニットケース１７４の中央部を覆う部分であることから、他の部分より前方に延出する中央折り曲げ部２２５，２２５によってこの部分が大きく撓まないようにされている。
【０１２０】
このような構成を有する押圧力分散部材２２０は、図１２に示すように、折り曲げ部２２３がユニットケース本体２００の後壁２０１の後面に対向するような向きで、図１１に示すように、開口部２２１，２２１にガイド部２０８，２０８を挿通し、前方へ押し込むことで取り付けられる。これによって押圧力分散部材２２０がガイド部２０８，２０８によってガイドされ、ユニットケース本体２００の後壁２０１の後面における所定の位置に取り付けられる。
【０１２１】
この過程において、各係止部材２１１の延出部が、被係止部２２２の貫通孔２２２ａを通って後方に延出し、先端に形成された爪部が被係止部２２２の係合穴２２２ｂに係合することで、押圧力分散部材２２０がユニットケース本体２００の後壁２０１の後面に固定されるようになっている。このように、係止部材が後方から被係止部２２２に係合するので、後述するように前方撓む押圧力分散部材の前方への撓みを妨げることがなく、さらに、係止部材２１１，２１１，…に押圧力がかかることを防止できる。
【０１２２】
以上のことから、押圧力分散部材２２０を表示ユニット１７０に取り付けるための係止部材２１１，２１１，…が、表示ユニット１７０の裏面から後方に延出して設けられ、係止部材２１１，２１１，…は、押圧力分散部材２２０の前方への撓みを妨げないように押圧力分散部材２２０を係止していることとなる。
【０１２３】
このように押圧力分散部材２２０が所定の位置に配された状態では、ガイド部２０８，２０８が開口部２２１，２２１を通って後方へ延出するとともに、折り曲げ部２２３の内側にリブ２０９が収容されるようになる。また、中央折り曲げ部２２５，２２５は、ユニットケース本体２００の後壁２０１の後面に形成された溝部２１０，２１０に挿入される。
【０１２４】
また、図１５（ｂ）、（ｃ）に示すように、上下端部に形成された表示ユニット当接部２２４，２２４の前端が、ユニットケース本体２００の後壁２０１の後面に当接するようになる。ただし、表示ユニット当接部２２４，２２４以外の折り曲げ部２２３は、ユニットケース本体２００に当接せず、また、リブ２０９の後端も押圧力分散部材２２０には当接しないようになっている。すなわち、押圧力分散部材２２０に圧縮コイルばね１８２からの付勢力がかかっていない状態では、押圧力分散部材２２０の表示ユニット当接部２２４，２２４のみがユニットケース本体２００に接した状態となっている。
【０１２５】
また、押圧力分散部材２２０は、圧縮コイルばね１８２から所定の力が加わると撓むようになっている。これにより、上下端部に形成された表示ユニット当接部２２４，２２４のみならず、表示ユニット当接部２２４，２２４以外の折り曲げ部２２３がユニットケース本体２００に当接し、また、リブ２０９の後端も押圧力分散部材２２０に当接するようになる。このように複数箇所が当接するようになることで、圧縮コイルばね１８２による前方への押圧力がより広い面積に分散され、表示ユニット１７０の一部分に大きな押圧力がかからないようになっている。
【０１２６】
以上のことから、表示ユニット１７０裏面には、押圧力分散部材２２０の外形に沿って、後方に延出するリブ２０９が設けられ、リブ２０９が押圧力分散部材２２０に当接するようにしたこととなる。
【０１２７】
また、押圧力分散部材２２０は、金属製の板状部材からなり、外周部分に前方に折り曲げられた折り曲げ部２２３が形成され、押圧力分散部材２２０の中央部分の折り曲げ部（中央折り曲げ部２２５）は、中央部分以外の折り曲げ部２２３より前方に延出して形成されており、中央部分の折り曲げ部２２５が表示ユニット１７０裏面に当接するようにしたこととなる。
【０１２８】
以上のような構成を有する表示ユニット１７０は、図６に示すように、裏機構枠１６０の表示ユニット収納部１６８に前後動可能に収納されるようになっている。この収納された状態では、表示ユニット１７０の上下に形成された被案内部１７６，１７６，…が、裏機構枠１６０に形成された溝状の案内部１６９，１６９，…内に配される。この案内部１６９，１６９，…は裏機構枠１６０の前後方向に沿って形成されており、この案内部１６９，１６９，…に沿って被案内部１７６，１７６，…が案内されることで表示ユニット１７０が前後方向に沿って移動するようになっている。
【０１２９】
被案内部１７６，１７６，…は摩擦係数の低い材質からなり、案内部１６９，１６９，…との間の摩擦抵抗が軽減されるようになっている。また、図９（ｂ）に示すように、表示ユニット１７０の下面に設けられた被案内部１７６，１７６は、その下部に滑動体として左右方向に沿った回転軸を有するローラ１７２ａを備えており、さらに、このローラ１７２ａが接する下側の案内部１６９，１６９の底面にはレール部材１６７が配設されている。よって、案内部１６９，１６９，…に対して摩擦係数が低い材質からなる被案内部１７６，１７６，…もしくは回転可能なローラ１７２ａが当接することとなり、さらに、ローラ１７２ａは平滑なレール部材１６７上を移動することから、被案内部と案内部１６９，１６９，…との間の摩擦抵抗が軽減され、表示ユニット１７０が表示ユニット収納部１６８内で円滑に前後移動可能となる。すなわち、表示ユニット収納部１６８は、表示ユニット１７０をスライド可能なスライド空間をなす。
【０１３０】
以上のことから、遊技領域（第１遊技領域１ａ）を形成する遊技盤１を前面枠１２０に対して着脱可能に配設し、該遊技盤前面の所要領域において遊技に関わるゲームを表示するようにした遊技機１００において、前記前面枠１２０における前記遊技盤１の後方に位置し、前記表示ゲームを実行する表示ユニット１７０と、前記表示ユニット１７０を前後方向にスライド可能に支持するとともに、前方を開口して前記表示ユニット１７０をスライド可能なスライド空間（表示ユニット収納部１６８）を有する裏機構枠１６０と、前記裏機構枠１６０に一端部が取り付けられ前方に延出し、前記表示ユニット１７０を前方に付勢する付勢部材（圧縮コイルばね１８２）と、を備え、前記表示ユニット１７０の左右両側の下端部には、前後方向へ移動するためのローラ１７２ａが設けられ、前記裏機構枠１６０は、前記スライド空間を後方から覆い前記付勢部材が設けられる裏機構枠本体１６１と、該裏機構枠本体１６１の左右両側の前方に設けられ、前記表示ユニット１７０の前方への移動を規制する左右の移動規制部材１６２，１６２と、を備え、前記ローラ１７２ａが移動するレール部材１６７を前記裏機構枠本体１６１と前記移動規制部材１６２，１６２とに掛け渡して設けたこととなる。
【０１３１】
これにより、裏機構枠本体１６１と移動規制部材１６２，１６２との接続部の段差が無くなり、スムースに表示ユニット１７０を移動できる。
【０１３２】
また、表示ユニット収納部１６８の上下幅および左右幅は、表示ユニット１７０の上下幅および左右幅よりも大きくなっており、表示ユニット１７０の周囲に空間があいた状態とされる。これによって、表示ユニット１７０の前後方向への移動が容易になるとともに、表示ユニット１７０が表示ユニット収納部１６８内で僅かに傾斜した状態（遊技盤１の左右方向と非平行状態）になることも可能となる。なお、溝状の凹部となった案内部１６９，１６９，…内に被案内部１７６，１７６，…が収納された状態となっているので、表示ユニット１７０が非平行状態になっても被案内部１７６，１７６，…が案内部１６９，１６９，…から脱落することがない。
【０１３３】
また、図７に示すように、表示ユニット１７０と裏機構枠本体１６１の間には、付勢部材としての圧縮コイルばね１８２が配されている。この圧縮コイルばね１８２は、一端が裏機構枠本体１６１に形成された付勢部材収納部１８１に収納され、他端が表示ユニット１７０の後方に延出する円柱状のガイド部２０８に接続するように配されている。
【０１３４】
ここで、付勢部材収納部１８１，１８１、ガイド部２０８，２０８は上下に並んで二つ設けられているが、本実施形態においては、圧縮コイルばね１８２を上側の付勢部材収納部１８１、ガイド部２０８にのみ取り付けるようにしている。なお、圧縮コイルばね１８２を下側の付勢部材収納部１８１、ガイド部２０８にのみ取り付けるようにしても良いし、上下両方の付勢部材収納部１８１，１８１、ガイド部２０８，２０８に取り付けるようにしても良い。また、圧縮コイルばね１８２を一つのみ設ける場合はガイド部２０８を表示ユニット１７０の後面における中央に設け、付勢部材収納部１８１をこれと対向する位置に設けるようにしても良い。
【０１３５】
図１０に示すように、ガイド部２０８に取り付けられた圧縮コイルばね１８２は、前端がガイド部２０８の周囲に位置する押圧力分散部材２２０に当接し、この押圧力分散部材２２０を介して表示ユニット１７０を前方向に押圧するようになっている。このように押圧力分散部材２２０にかかる押圧力は、表示ユニット当接部２２４，２２４を介して表示ユニット１７０の上下端部に伝達されるようになっている。
【０１３６】
以上のことから、表示ユニット１７０裏面には、付勢部材（圧縮コイルばね１８２）をガイドするガイド部２０８が後方に延出し、押圧力分散部材２２０には、ガイド部２０８を挿通する開口部２２１が形成され、該開口部２２１の近傍を付勢部材が押圧するようにしたこととなる。
【０１３７】
これにより、表示ユニット１７０は、圧縮コイルばね１８２により前方側に向かって付勢された状態となり、裏機構枠１６０を開放した状態あるいは、遊技盤１を前面枠１２０から取り外した状態では、前後の移動範囲の最も前側の位置に配される。
【０１３８】
なお、遊技盤１が装着されて裏機構枠１６０を閉じた状態においては、遊技盤裏面構成部材８０の裏面に設けられて後方に突出する押圧部８３，８３，…が、表示ユニット１７０の前後方向の移動範囲における最も前側の位置より後方に位置するようになっている。よって、図８に示すように、押圧部８３の後端部にある押圧部材８３ｂが表示ユニット１７０の前面に密着し、表示ユニット１７０は遊技盤裏面構成部材８０の裏面から押圧部８３，８３，…の突出幅の分だけ後方側へ隔離した位置に配されるようになっている。
【０１３９】
以上のことから、遊技領域（第１遊技領域１ａ）を形成する遊技盤１を前面枠１２０に対して着脱可能に配設し、該遊技盤前面の所要領域において遊技に関わるゲームを表示するようにした遊技機１００においてゲームを実行する表示ユニット１７０を遊技盤１の後方に位置させて支持する裏機構枠１６０を前面枠１２０裏面側に備え、裏機構枠１６０は、表示ユニット１７０を前後方向にスライド可能に支持するとともに、前方を開口して表示ユニット１７０をスライド可能なスライド空間（表示ユニット収納部１６８）を有し、且つ、表示ユニット１７０を前方に付勢する付勢部材（圧縮コイルばね１８２）を前方に延出させて該付勢部材の一端部を取り付け、表示ユニット１７０の裏面には、付勢部材の他端部が当接し、該付勢部材からの押圧力を表示ユニット１７０裏面に分散させる押圧力分散部材２２０を備え、押圧力分散部材２２０は、矩形状の表示ユニット１７０裏面の少なくとも向かい合う一組の一辺部と他辺部とに亘って設けられ、当該押圧力分散部材２２０の前面側の一辺側と他辺側が表示ユニット１７０裏面の一辺部と他辺部とに当接し、当該押圧力分散部材２２０の裏面側略中央部が付勢部材の他端部に当接するようにしたこととなる。
【０１４０】
次に、以上のような構成を有する遊技機１００における遊技盤１の取付方法について説明する。なお、ここでは開口部１３１に遊技盤１がなく、また、裏機構枠１６０は、前面枠本体１３０の裏面側に表示ユニット１７０が臨む状態とされているものとする。また、遊技制御装置３０は、図５に示すように後方に倒されて水平な状態（遊技制御装置３０を遊技盤１とが略直交する状態）とされているものとする。
【０１４１】
図２に示すように、前面枠本体１３０の開口部１３１の前面側から見て左側、すなわち、裏機構枠１６０が軸着された側には、遊技盤１の係合凹部８ｂに係合可能な係合部材１３２，１３２が設けられていて、遊技盤１を開口部１３１に取り付ける際には、まず、開口部１３１に対してその前側から、遊技盤１の係合凹部８ｂをこの係合部材１３２，１３２に係合させるように斜めに挿入する。そして、係合部材１３２，１３２によって係合された側を軸として、遊技盤１を遊技機１００の後方側へ回動させながら開口部１３１に嵌め込む。
【０１４２】
ここで、裏機構枠１６０に保持されている表示ユニット１７０は、表示ユニット収納部１６８内で前後移動可能に、かつ、表示ユニット付勢手段としての圧縮コイルばね１８２によって前方向に付勢された状態で収納されている。この表示ユニット１７０の前面における周縁をなす表示ユニットケース１７４（上部前面部材１７７の前面及び下部前面部材１７８の前面）には、遊技盤１を後方側に回動させる過程において、遊技盤１の後方に突出する押圧部８３，８３，…が当接する。そして、遊技盤１を開口部１３１に嵌め込むために、さらに後方側に回動させるのに伴い、表示ユニット１７０は、表示ユニット付勢手段としての圧縮コイルばね１８２の付勢力に抗して後方向へ押し込まれることとなる。
【０１４３】
ここで遊技盤１は、係合部材１３２，１３２に係合した一側部を軸として回動するので、遊技盤裏面構成部材８０の裏面に設けられた押圧部８３，８３，…のうち、裏面側から見て右側、すなわち遊技盤１の回動軸に近い側に設けられた押圧部８３，８３が先に表示ユニット１７０の前面に当接する。より詳しくは、遊技盤１の回動軸に近い側にある押圧部８３の後端部に取り付けられた押圧部材８３ｂに設けられたローラ８３ｃが、表示ユニット１７０の前面における周縁をなす表示ユニットケース１７４に当接する。表示ユニット１７０は、表示ユニット収納部１６８内で若干傾斜した状態（表示ユニット１７０が裏機構枠１６０の左右方向と非平行状態）となることが可能であり、押圧部８３（ローラ８３ｃ）が当接した側が、より後方向に押し込まれるように傾斜した状態で移動する。
【０１４４】
遊技盤１を回動させる過程において、遊技盤１の回動軸に近い側に設けられた押圧部８３は、表示ユニット１７０の前面にローラ８３ｃが当接した状態で、表示ユニット１７０を後方へ押圧しつつ、左右方向に沿って移動することとなる。この際、ローラ８３ｃが回転することにより、円滑に移動することが可能となっている。
【０１４５】
また、遊技盤１は回動させることで徐々に遊技機１００の左右方向に沿うようになるが、この過程において、ローラ８３ｃ以外に押圧部材８３ｂも表示ユニット１７０の前面に当接し、表示ユニット１７０を後方へ押圧しつつ、左右方向に沿って移動することとなる。この際、押圧部材８３ｂが摩擦係数の低い材質からなることから円滑に移動することが可能となっている。また、遊技盤１を回動させる過程において、表示ユニット１７０は表示ユニット収納部１６８内で後方へ移動することとなるが、この表示ユニット１７０は、上述したように上下側面に設けられた被案内部１７６，１７６，…が、表示ユニット収納部１６８に形成された案内部１６９，１６９，…に案内されるようになっているので円滑に前後移動することが可能となっている。
【０１４６】
また、遊技盤１を後方に回動させる過程において、後方に倒して水平な状態とされた遊技制御装置３０は、裏機構枠１６０の下部に形成された開口部１６３を通って、遊技機１００の裏面側に至るようになっている。さらに、遊技盤１の裏面に設けられた第２演出制御装置３１の裏面に露出したコネクタ部３１ｂと、裏機構枠１６０の裏面に設けられた第１演出制御装置３３の、開口部１６３に臨む突出部に形成されたコネクタ部３３ａとが接続されるようになっている。
【０１４７】
遊技盤１を完全に開口部１３１に嵌め込んだ状態としたら、遊技盤前面の固定凹部８ｃ，８ｃに固定部１３３，１３３を係合させ、遊技盤１を前面枠本体１３０に固定する。このように遊技盤１が完全に開口部１３１に嵌め込まれた状態では、遊技機１００の左右方向に平行な状態となる。また、表示ユニット１７０の傾斜も、遊技盤１を回動させることで徐々に遊技機１００の左右方向に沿うようになる。このように、遊技盤１が完全に開口部１３１に嵌め込まれた状態では、表示ユニット１７０の前面が押圧部８３の後端部に設けられた押圧部材８３ｂに面接触する。各押圧部８３の後端部に設けられた押圧部材８３ｂの後端面は、同じ前後位置となっており、表示ユニット１７０は遊技盤１と平行に配される。
【０１４８】
また、表示ユニット１７０は圧縮コイルばね１８２によって前側に付勢されているので、前面が押圧部８３の後端部に設けられた押圧部材８３ｂに密着した状態で保持される。すなわち、このときの表示ユニット１７０の前後位置が遊技機１００の使用時における前後位置となる。また、表示領域区画壁９２の後方突出量は、押圧部８３の後方突出量よりも少なく、表示ユニット１７０の前面に当接はしないが、近接した位置に配されるようになる。
【０１４９】
ここで、上述したように、圧縮コイルばね１８２による前方向への付勢力は、押圧力分散部材２２０の表示ユニット当接部２２４，２２４を介して表示ユニットケース１７４の上下端部にかかるようになっている。また、遊技盤１の押圧部８３，８３，…は表示ユニット１７０の前面における周縁をなす表示ユニットケース１７４を後方へ押圧するようになっている。よって、表示ユニットケース１７４内に収納されている液晶表示パネル１７５に直接押圧力がかかることがない。また、表示ユニットケース１７４の比較的強度の高い外周部分が押圧されるので、表示ユニットケース１７４が撓んで液晶表示パネル１７５に不具合が発生（画像の歪みや破損など）することがない。
【０１５０】
また、遊技盤１を回動させる過程において、表示ユニット１７０の後方への移動に伴って圧縮コイルばね１８２による前方への付勢力が増すと、押圧力分散部材２２０が撓むようになっている。これにより、上下端部に形成された表示ユニット当接部２２４，２２４のみならず、表示ユニット当接部２２４，２２４以外の折り曲げ部２２３がユニットケース本体２００に当接し、また、リブ２０９の後端も押圧力分散部材２２０に当接するようになる。このように複数箇所が当接するようになることで、圧縮コイルばね１８２による前方への押圧力がより広い面積に分散され、表示ユニット１７０の一部分に大きな押圧力がかからないようになっている。
【０１５１】
また、押圧力分散部材２２０は、圧縮コイルばね１８２が当接する中央部分に形成された中央折り曲げ部２２５が他の部分より前方に延出しており、この部分が大きく撓まないようにされている。これにより、特に撓みやすい表示ユニットケース１７４の中央部に過大な押圧力がかからないようになっている。
【０１５２】
遊技盤１を開口部１３１に嵌め込んだ後、図４に示すように、裏機構枠１６０の裏面側に配された遊技制御装置３０を前方向に回動させて起立した状態とする。これにより、図３に示すように遊技制御装置３０が裏機構枠１６０の裏面側に収容された状態となる。そして、遊技制御装置３０が起立した状態を保持する保持部材を固定状態に変換し、遊技制御装置３０を固定する。
【０１５３】
また、このように遊技制御装置３０を起立した状態とする際に、遊技制御装置３０が第１演出制御装置３３の裏面を前方側に押圧し、遊技制御装置３０の前方に位置する第１演出制御装置３３と第２演出制御装置３１の接続部（コネクタ部３３ａとコネクタ部３１ｂの接続部）を前方向に押圧する。これにより、前後に向かい合うように接続する第１演出制御装置３３と第２演出制御装置３１の接続が補助されるようになっている（接続が完全でない場合などはこの動作で押し込まれる）。そしてこの後、各種配線などを接続して遊技盤１の取り付けが完了する。
【０１５４】
以上のように取り付けられた遊技盤１を前面枠１２０から取り外す場合は、上述の作業と逆の作業を行えばよい。すなわち、まず、遊技制御装置３０を後方に回動させて水平な傾倒状態とし、遊技盤１の前面側における固定部１３３，１３３による固定を解除して、係合部材１３２，１３２に係合した一側部を軸として前側へ回動させることで取り外すことができる。
【０１５５】
このように遊技盤１を取り外す際に、遊技盤１を前側に回動させる過程において、表示ユニット１７０は圧縮コイルばね１８２の付勢力により前方向へ移動する。これにより、圧縮コイルばね１８２が伸張し、圧縮コイルばね１８２による前方への付勢力が減少すると、撓んでいた押圧力分散部材２２０が元の状態に戻り、押圧力分散部材２２０の表示ユニット当接部２２４，２２４のみがユニットケース本体２００に接した状態となる。
【０１５６】
なお、以上の実施形態においては、押圧力分散部材２２０が上下に延在し、表示ユニット１７０の上下の二辺に当接するとしたが、押圧力分散部材２２０が左右に延在し、表示ユニット１７０の左右の二辺に当接するようにしても良いし、押圧力分散部材を十字型に形成し、表示ユニット１７０の上下左右の四辺に当接するようにしても良い。
また、押圧部８３は、押圧力分散部材２２０の表示ユニット当接部２２４の前方に位置する表示ユニット１７０表面に当接するようにしても良い。
また、遊技盤１の裏面に押圧部８３を設けずに、裏機構枠１６０に表示ユニット１７０表面が当接する当接部を前後方向に複数設け、付勢部材が押圧することにより表示ユニット１７０の位置規制をするようにしても良い。
【０１５７】
また、遊技盤１は、前面枠１２０に対して前側から取り付ける構成としたが、遊技盤１を前面枠１２０に後側から取り付ける（或いはサイドからスライド挿入する）構成としても良い。この場合は、前面枠１２０に遊技盤１を装着した後に裏機構枠１６０を閉鎖することとなり、この際に表示ユニット１７０が後方へ押圧される。また、本実施形態のように遊技盤１を前側から取り付ける構成であっても、メンテナンス等の場合に裏機構枠１６０を開放した場合は、再び裏機構枠１６０を閉鎖する際に表示ユニット１７０が後方へ押圧される。
【０１５８】
また、裏機構枠１６０を開閉可能としたが、遊技盤１を前側から取り付ける構成の場合は、開閉できない裏機構枠１６０であっても良い。また、裏機構枠１６０を別途設けずに、前面枠本体１３０の裏面側に表示ユニット１７０を前後動可能に配するようにしても良い。
【０１５９】
また、遊技盤１は透明な合成樹脂からなるとしたが、少なくとも視認開口８７が設定される部分が透明であれば良く、遊技盤１の全てが透明であっても良いし、一部が透明であっても良い。
【０１６０】
また、遊技盤１は、透明な合成樹脂で形成して遊技盤１を透かして後方の表示ユニット１７０の画像を視認できるように構成してもよいし、遊技盤１に開口部を形成して該開口部から後方の表示ユニット１７０の画像を視認できるように構成してもよい。このように遊技盤に開口部を形成する場合は、遊技盤は透明な合成樹脂製のものに限られず、木製などでもよい。なお、遊技盤を透明な合成樹脂で構成した場合は遊技盤１（表面）の全体或いは一部が表示領域を構成し、遊技盤１に開口部を形成した場合には開口部が表示領域を構成する。
【０１６１】
以上のような遊技機１００は、遊技領域（第１遊技領域１ａ）を形成する遊技盤１を前面枠１２０に対して着脱可能に配設し、該遊技盤前面の所要領域において遊技に関わるゲームを表示するようにした遊技機１００であって、ゲームを実行する表示ユニット１７０を遊技盤１の後方に位置させて支持する裏機構枠１６０を前面枠１２０裏面側に備え、裏機構枠１６０は、表示ユニット１７０を前後方向にスライド可能に支持するとともに、前方を開口して表示ユニット１７０をスライド可能なスライド空間（表示ユニット収納部１６８）を有し、且つ、表示ユニット１７０を前方に付勢する付勢部材（圧縮コイルばね１８２）を前方に延出させて該付勢部材の一端部を取り付け、表示ユニット１７０の裏面には、付勢部材の他端部が当接し、該付勢部材からの押圧力を表示ユニット１７０裏面に分散させる押圧力分散部材２２０を備え、押圧力分散部材２２０は、矩形状の表示ユニット１７０裏面の少なくとも向かい合う一組の一辺部と他辺部とに亘って設けられ、当該押圧力分散部材２２０の前面側の一辺側と他辺側が表示ユニット１７０裏面の一辺部と他辺部とに当接し、当該押圧力分散部材２２０の裏面側略中央部が付勢部材の他端部に当接するようにしている。
【０１６２】
したがって、表示ユニット１７０の裏面には付勢部材からの押圧力を表示ユニット１７０裏面に分散させる押圧力分散部材２２０を備え、押圧力分散部材２２０の前面側の一辺側と他辺側が表示ユニット１７０裏面の一辺部と他辺部とに当接し、押圧力分散部材２２０の裏面側略中央部が付勢部材の他端部に当接するので、押圧力が表示ユニット１７０の外周部分にかかるようになる。これにより、表示ユニット１７０の中央部分が撓んで、表示ユニット１７０に備えられた表示装置（液晶表示パネル１７５など）に不具合が発生（画像の歪みや破損など）することを防止できる。
【０１６３】
また、表示ユニット１７０裏面には、押圧力分散部材２２０の外形に沿って、後方に延出するリブ２０９が設けられ、リブ２０９が押圧力分散部材２２０に当接するようにしている。
【０１６４】
したがって、表示ユニット１７０裏面には、押圧力分散部材２２０の外形に沿って、後方に延出するリブ２０９が設けられ、リブ２０９が押圧力分散部材２２０に当接するので、押圧力がより広い面積に分散されるようになり、表示ユニット１７０が撓みにくい。
【０１６５】
また、押圧力分散部材２２０は、金属製の板状部材からなり、外周部分に前方に折り曲げられた折り曲げ部２２３が形成され、押圧力分散部材２２０の中央部分の折り曲げ部（中央折り曲げ部２２５）は、中央部分以外の折り曲げ部２２３より前方に延出して形成されており、中央部分の折り曲げ部２２５が表示ユニット１７０裏面に当接するようにしている。
【０１６６】
したがって、押圧力分散部材２２０は、金属製の板状部材からなり、外周部分に前方に折り曲げられた折り曲げ部２２３が形成されているので、押圧力に対する強度が高い。また、押圧力分散部材２２０の中央部分の折り曲げ部２２５は、中央部分以外の折り曲げ部２２３より前方に延出して形成されており、中央部分の折り曲げ部２２５が表示ユニット１７０裏面に当接するので、一辺側から他辺側に延びる中央部分の折り曲げ部２２５の広い部分で表示ユニット１７０の裏面を押すこととなり、押圧力がより広い面積に分散され、表示ユニット１７０が撓みにくい。また、中央部分の折り曲げ部２２５が他の部分より前方に延出しているので、付勢部材（圧縮コイルばね１８２）が当接する中央部分箇所が大きく撓むことを防止できる。
【０１６７】
また、押圧力分散部材２２０を表示ユニット１７０に取り付けるための係止部材２１１，２１１，…が、表示ユニット１７０の裏面から後方に延出して設けられ、係止部材２１１，２１１，…は、押圧力分散部材２２０の前方への撓みを妨げないように押圧力分散部材２２０を係止している。
【０１６８】
したがって、押圧力分散部材２２０を表示ユニット１７０に取り付けるための係止部材２１１，２１１，…が、表示ユニット１７０の裏面から後方に延出して設けられ、係止部材２１１，２１１，…は押圧力分散部材２２０の前方への撓みを妨げないように押圧力分散部材２２０を係止しているので、係止部材２１１，２１１，…に押圧力がかかることを防止できる。
【０１６９】
また、押圧力分散部材２２０は、表示ユニット１７０裏面の一辺部と他辺部とに当接する一辺側と他辺側よりも中央部分が一辺部延設方向にくびれている。
【０１７０】
したがって、押圧力分散部材２２０は、表示ユニット１７０裏面の一辺部と他辺部とに当接する一辺側と他辺側よりも中央部分が一辺部延設方向にくびれているので、効率よく押圧力を分散できる。すなわち、表示ユニット１７０と当接する部分は広い接触面積を確保して、押圧力が集中しないようにでき、その他の部分は極力狭い占有面積とし、表示ユニット１７０裏面のスペースを有効に利用できるようになる。
【０１７１】
また、表示ユニット１７０裏面には、付勢部材（圧縮コイルばね１８２）をガイドするガイド部２０８が後方に延出し、押圧力分散部材２２０には、ガイド部２０８を挿通する開口部２２１が形成され、該開口部２２１の近傍を付勢部材が押圧するようにしている。
【０１７２】
したがって、表示ユニット１７０裏面には、付勢部材をガイドするガイド部２０８が後方に延出し、押圧力分散部材２２０には、ガイド部２０８を挿通する開口部２２１が形成され、該開口部２２１の近傍を付勢部材が押圧するようにしたので、押圧力分散部材２２０と付勢部材を固定しなくても確実に押圧することができる。
【０１７３】
また、遊技盤１の裏面には、後方に延出し表示ユニット１７０の前面に当接する当接部材（押圧部８３，８３，…）を設け、付勢部材（圧縮コイルばね１８２）が表示ユニット１７０を前方に付勢することにより、該表示ユニット１７０が位置規制されるようにしている。
【０１７４】
したがって、遊技盤１の裏面には、後方に延出し表示ユニット１７０の前面に当接する当接部材を設け、付勢部材が表示ユニット１７０を前方に付勢することにより、該表示ユニット１７０が位置規制されるので、表示ユニット１７０が遊技盤後方の所定位置に配されるようになる。
このように、遊技盤１に対して表示ユニット１７０が所定の間隔をおいて遊技機１００の奥側に配されるので、表示ユニット１７０と遊技者との距離を確保でき、奥行き感を出すことができるとともに、大型の表示ユニット１７０を用いた場合でも、遊技者にとって見やすい構成とすることができる。また、遊技盤側から入り込む外光によって画像表示面１７１における表示が見にくくなることを防止できる。
【０１７５】
なお、本発明の遊技機は、遊技機として、前記実施の形態に示されるようなパチンコ遊技機に限られるものではなく、例えば、その他のパチンコ遊技機、アレンジボール遊技機、雀球遊技機など全ての遊技機に適用可能である。
【０１７６】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１７７】
【図１】本発明を適用した一実施の形態の構成を示す遊技機の前面側から見た斜視図であって、透明部材保持枠を開放した様子を示す図である。
【図２】遊技盤を取り外した遊技機の前面側から見た斜視図であって、透明部材保持枠を開放した様子を示す図である。
【図３】遊技機の裏面側を示す斜視図である。
【図４】遊技盤の裏面側を示す斜視図である。
【図５】遊技盤の裏面側を示す斜視図であって、遊技制御装置を後方に倒した状態を示す図である。
【図６】裏機構枠の前面側から見た斜視図である。
【図７】裏機構枠の前面側から見た分解斜視図である。
【図８】遊技盤と表示ユニットの位置関係を説明するための前面側から見た斜視図である。
【図９】（ａ）裏機構枠の正面図である。（ｂ）（ａ）に示すＡ−Ａ断面における断面図である。
【図１０】表示ユニットの裏面側を示す斜視図である。
【図１１】表示ユニットの裏面側を示す斜視図であって、圧縮コイルばねを取り外した図である。
【図１２】表示ユニットの裏面側を示す斜視図であって、押圧力分散部材を取り外した図である。
【図１３】表示ユニットの裏面側から見た分解斜視図である。
【図１４】押圧力分散部材の前面側から見た斜視図である。
【図１５】（ａ）表示ユニットの裏面図である。（ｂ）（ａ）に示すＡ−Ａ断面における断面図である。（ｃ）（ａ）に示すＡ−Ａ断面における断面図であって、上部を拡大した図である。
【符号の説明】
【０１７８】
１      遊技盤
１ａ    第１遊技領域（遊技領域）
１００  遊技機
１２０  前面枠
１６０  裏機構枠
１６８  表示ユニット収納部（スライド空間）
１７０  表示ユニット
１７５  液晶表示パネル
１８２  圧縮コイルばね
２０８  ガイド部
２０９  リブ
２１１  係止部材
２２０  押圧力分散部材
２２１  開口部
２２３  折り曲げ部
２２５  中央折り曲げ部
【図１】
2008093265.tif 000003
【図２】
2008093265.tif 000004
【図３】
2008093265.tif 000005
【図４】
2008093265.tif 000006
【図５】
2008093265.tif 000007
【図６】
2008093265.tif 000008
【図７】
2008093265.tif 000009
【図８】
2008093265.tif 000010
【図９】
2008093265.tif 000011
【図１０】
2008093265.tif 000012
【図１１】
2008093265.tif 000013
【図１２】
2008093265.tif 000014
【図１３】
2008093265.tif 000015
【図１４】
2008093265.tif 000016
【図１５】
2008093265.tif 000017